(57)【特許請求の範囲】
【請求項１】
同じ周波数帯を共用する多数無線サービスの共存のための方法であって、
第１サービス送信器を第１フィルタ経路を通じてアンテナへ接続し、且つ第１サービス受信器を前記アンテナから切断するため、第１スイッチを作動させることと、
第２サービス受信器を第２フィルタ経路を通じて前記アンテナへ接続し、且つ第２サービス送信器を前記アンテナから切断するため、第２スイッチを作動させることと、
ここにおいて、前記第１サービス送信器は第１サービスの帯域の信号を送信し、前記第２サービス受信器は第２サービスの帯域の信号を受信する、
前記第１サービス送信器に対する送信電力制御を有効にすることであって、前記送信電力制御は、前記第２サービスの帯域の受信信号の受信を改善するために前記第１サービス送信器の送信電力を低減することを備える、ことと、
下記ａ）およびｂ）のうちのいずれか一方または両方を遂行することと
ａ）前記第２サービスの帯域の高排除率により、前記第１フィルタ経路を通じて前記
アンテナへ第１サービスの帯域の送信信号を送信すること、および
ｂ）前記第１サービスの帯域の高排除率により、前記アンテナから前記第２フィルタ
経路を通じて前記第２サービスの帯域の受信信号を受信すること、
を備える、方法。
【請求項２】
前記第１サービスの帯域の送信信号を送信し且つ前記第２サービスの帯域の受信信号を受信する同時サービスを維持する能力を判定することをさらに備える、請求項１の方法。
【請求項３】
前記同時サービスを無効にすることと、前記第１サービスの帯域の送信信号を送信するサービスまたは前記第２サービスの帯域の受信信号を受信するサービスのうち、いずれか一方に優先権を与えることと、をさらに備える、請求項２の方法。
【請求項４】
前記第１および第２フィルタ経路はＭＥＭＳノッチフィルタにより実現される、請求項１の方法。
【請求項５】
前記第１スイッチと前記第２スイッチはプログラム制御される、請求項４の方法。
【請求項６】
前記第１サービスまたは前記第２サービスのうち少なくとも一方の帯域外排除を提供するために、前記第１フィルタ経路または前記第２フィルタ経路のうち少なくとも一方をプログラムすることをさらに備える、請求項１の方法。
【請求項７】
前記第１サービスまたは第２サービスのうち少なくとも一方はＢｌｕｅｔｏｏｔｈ（登録商標）（ＢＴ）である、請求項１の方法。
【請求項８】
前記第１サービスまたは第２サービスのうち少なくとも一方は無線ローカルエリアネットワーク（ＷＬＡＮ）である、請求項１の方法。
【請求項９】
前記ＷＬＡＮは８０２．１１プロトコルに準拠する、請求項８の方法。
【請求項１０】
同じ周波数帯を共用する多数無線サービスの共存のための装置であって、
第１サービス送信器を第１フィルタ経路を通じてアンテナへ接続し、且つ第１サービス受信器を前記アンテナから切断するため、第１スイッチを作動させる手段と、
第２サービス受信器を第２フィルタ経路を通じて前記アンテナへ接続し、且つ第２サービス送信器を前記アンテナから切断するため、第２スイッチを作動させる手段と、
ここにおいて、前記第１サービス送信器は第１サービスの帯域の信号を送信し、前記第２サービス受信器は第２サービスの帯域の信号を受信する、
前記第１サービス送信器に対する送信電力制御を有効にする手段であって、前記送信電力制御は、前記第２サービスの帯域の受信信号の受信を改善するために前記第１サービス送信器の送信電力を低減することを備える、手段と、
下記ａ）およびｂ）のうちのいずれか一方または両方を遂行する手段と
ａ）前記第２サービスの帯域の高排除率により、前記第１フィルタ経路を通じて前記
アンテナへ第１サービスの帯域の送信信号を送信すること、および
ｂ）前記第１サービスの帯域の高排除率により、前記アンテナから前記第２フィルタ
経路を通じて前記第２サービスの帯域の受信信号を受信すること、
を備える、装置。
【請求項１１】
前記第２サービスの帯域の受信信号の受信を改善するため前記第１サービス送信器の送信電力を低減する手段をさらに備える、請求項１０の装置。
【請求項１２】
前記第１サービスの帯域の送信信号を送信し且つ前記第２サービスの帯域の受信信号を受信する同時サービスを維持する能力を判定する手段をさらに備える、請求項１０の装置。
【請求項１３】
前記同時サービスを無効にする手段と、前記第１サービスの帯域の送信信号を送信するサービスまたは前記第２サービスの帯域の受信信号を受信するサービスのうち、いずれか一方に優先権を与える手段と、をさらに備える、請求項１２の装置。
【請求項１４】
前記第１および第２フィルタ経路はＭＥＭＳノッチフィルタにより実現される、請求項１０の装置。
【請求項１５】
前記第１スイッチと前記第２スイッチはプログラム制御される、請求項１４の装置。
【請求項１６】
前記第１サービスまたは前記第２サービスのうち少なくとも一方の帯域外排除を提供するため、前記第１フィルタ経路または前記第２フィルタ経路のうち少なくとも一方をプログラムする手段をさらに備える、請求項１０の装置。
【請求項１７】
前記第１サービスまたは第２サービスのうち少なくとも一方はＢｌｕｅｔｏｏｔｈ（ＢＴ）である、請求項１０の装置。
【請求項１８】
前記第１サービスまたは第２サービスのうち少なくとも一方は無線ローカルエリアネットワーク（ＷＬＡＮ）である、請求項１０の装置。
【請求項１９】
前記ＷＬＡＮは８０２．１１プロトコルに準拠する、請求項１８の装置。
【請求項２０】
プロセッサとメモリとを備える同じ周波数帯を共用する多数無線サービスの共存のための装置であって、前記メモリは、
第１サービス送信器を第１フィルタ経路を通じてアンテナへ接続し、且つ第１サービス受信器を前記アンテナから切断するため、第１スイッチを作動させることと、
第２サービス受信器を第２フィルタ経路を通じて前記アンテナへ接続し、且つ第２サービス送信器を前記アンテナから切断するため、第２スイッチを作動させることと、
ここにおいて、前記第１サービス送信器は第１サービスの帯域の信号を送信し、前記第２サービス受信器は第２サービスの帯域の信号を受信する、
前記第１サービス送信器に対する送信電力制御を有効にすることであって、前記送信電力制御は、前記第２サービスの帯域の受信信号の受信を改善するために前記第１サービス送信器の送信電力を低減することを備える、ことと、
下記ａ）およびｂ）のうちのいずれか一方または両方を遂行することと
ａ）前記第２サービスの帯域の高排除率により、前記第１フィルタ経路を通じて前記
アンテナへ第１サービスの帯域の送信信号を送信すること、および
ｂ）前記第１サービスの帯域の高排除率により、前記アンテナから前記第２フィルタ
経路を通じて前記第２サービスの帯域の受信信号を受信すること、
を遂行する、前記プロセッサにより実行可能なプログラムコードを収容する、装置。
【請求項２１】
同じ周波数帯を共用する多数無線サービスの共存のためのコンピュータプログラムを格納するコンピュータ可読媒体であって、前記コンピュータプログラムの実行は、
第１サービス送信器を第１フィルタ経路を通じてアンテナへ接続し、且つ第１サービス受信器を前記アンテナから切断するため、第１スイッチを作動させることと、
第２サービス受信器を第２フィルタ経路を通じて前記アンテナへ接続し、且つ第２サービス送信器を前記アンテナから切断するため、第２スイッチを作動させることと、
ここにおいて、前記第１サービス送信器は第１サービスの帯域の信号を送信し、前記第２サービス受信器は第２サービスの帯域の信号を受信する、
前記第１サービス送信器に対する送信電力制御を有効にすることであって、前記送信電力制御は、前記第２サービスの帯域の受信信号の受信を改善するために前記第１サービス送信器の送信電力を低減することを備える、ことと、
下記ａ）およびｂ）のうちのいずれか一方または両方を遂行することと
ａ）前記第２サービスの帯域の高排除率により、前記第１フィルタ経路を通じて
前記アンテナへ第１サービスの帯域の送信信号を送信すること、および
ｂ）前記第１サービスの帯域の高排除率により、前記アンテナから前記第２フィルタ
経路を通じて前記第２サービスの帯域の受信信号を受信すること、
のためである、コンピュータ可読媒体。
【発明の詳細な説明】
【技術分野】
【０００１】
優先権の主張
本特許出願は、本願の譲受人へ譲渡され、本願での参照により本願に明示的に援用される、２００９年７月２０日に出願された仮出願第６１／２２６，７４７号、表題「デュアルアンテナＷＰＡＮ／ＷＬＡＮ共存のための方法および装置(Method and Apparatus for Dual Antenna WPAN/WLAN Coexistence)」および２００９年６月１６日に出願された仮出願第６１／１８７，５７３号、表題「動的デュアルアンテナＢｌｕｅｔｏｏｔｈ（登録商標）（ＢＴ）／ＷＬＡＮ共存のための方法および装置(Method and Apparatus for Dynamic and Dual Antenna Bluetooth（登録商標）(BT)/WLAN Coexistence)」への優先権を主張する。
【０００２】
本開示は、一般的には無線サービス共存のための装置および方法に関する。本開示は、具体的には多数無線サービス共存に関する。
【背景技術】
【０００３】
多くの遠隔通信システムにおいては、空間的に隔てられた複数の相互に作用する要素間でメッセージを交換するために通信ネットワークが使用されている。通信ネットワークは様々な態様に分類できる。一例において、ネットワークの地理的範囲はワイドエリア、メトロポリタンエリア、ローカルエリア、またはパーソナルエリアにおよぶことがあり、それぞれに該当するネットワークはワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と呼ばれている。ネットワークは、様々なネットワークノードおよびデバイスの相互接続に使用される交換技術／経路指定技術（例えば回線交換対パケット交換）、波形伝搬に使用される物理的媒体の種類（例えば有線対無線）、または使用される通信プロトコルのセット（例えばインターネットプロトコルスイート、ＳＯＮＥＴ（同期光ネットワーキング）、イーサネット（登録商標）等）の点でも異なる。
【発明の概要】
【０００４】
多数無線サービス共存のための装置および方法が開示される。一態様によると、多数無線サービス共存のための方法であって、第１サービス送信器を第１フィルタ経路を通じてアンテナへ接続し、且つ第１サービス受信器を前記アンテナから切断するため、第１スイッチを作動させることと、第２サービス受信器を第２フィルタ経路を通じて前記アンテナへ接続し、且つ第２サービス送信器を前記アンテナから切断するため、第２スイッチを作動させることと、前記第１サービス送信器に対する送信電力制御を有効にすることと、ａ）第２サービスの帯域の高排除率により、前記第１フィルタ経路を通じて前記アンテナへ第１サービス送信信号を送信することと、ｂ）第１サービスの帯域の高排除率により、前記アンテナから前記第２フィルタ経路を通じて第２サービス受信信号を受信することとのうち、いずれか一方または両方を遂行することと、を備える、方法。
【０００５】
別の態様によると、多数無線サービス共存のための方法であって、第１サービス送信器を第１フィルタ経路を通じてアンテナへ接続し、且つ第１サービス受信器を前記アンテナから切断するため、第１スイッチを作動させることと、第２サービス送信器を第２フィルタ経路を通じて前記アンテナへ接続し、且つ第２サービス受信器を前記アンテナから切断するため、第２スイッチを作動させることと、ａ）第２サービスの帯域の高排除率により、前記第１フィルタ経路を通じて前記アンテナへ第１サービス送信信号を送信することと、ｂ）第１サービスの帯域の高排除率により、前記第２フィルタ経路を通じて前記アンテナから第２サービス送信信号を送信することとのうち、いずれか一方または両方を遂行することと、を備える、方法。
【０００６】
別の態様によると、多数無線サービス共存のための方法であって、第１サービス受信器を第１フィルタ経路を通じてアンテナへ接続し、且つ第１サービス送信器を前記アンテナから切断するため、第１スイッチを作動させることと、第２サービス受信器を第２フィルタ経路を通じて前記アンテナへ接続し、且つ第２サービス送信器を前記アンテナから切断するため、第２スイッチを作動させることと、ａ）第２サービスの帯域の高排除率により、前記第１フィルタ経路を通じて前記アンテナへ第１サービス受信信号を受信することと、ｂ）第１サービスの帯域の高排除率により、前記アンテナから前記第２フィルタ経路を通じて第２サービス受信信号を受信することとのうち、いずれか一方または両方を遂行することと、を備える、方法。
【０００７】
別の態様によると、多数無線サービス共存のための方法であって、ａ）第１サービス送信器を第１アンテナへ接続することと、ｂ）デュアルモード受信器を前記第１アンテナから切断することと、ｃ）第２サービス送信器を前記第１アンテナから切断することと、ｄ）前記第２サービス送信器を第２アンテナから切断することと、ｅ）ダイバーシティ受信器を前記第２アンテナへ接続することと、を遂行するため、１つ以上のスイッチングデバイスを作動させることと、前記第１アンテナを使用し第１サービスで第１サービス送信信号を送信することと、前記第２アンテナと前記ダイバーシティ受信器とを使用し第２サービスで第２サービス受信信号を受信することと、を備える、方法。
【０００８】
別の態様によると、多数無線サービス共存のための方法であって、ａ）第１サービス送信器を第１アンテナから切断することと、ｂ）デュアルモード受信器を前記第１アンテナへ接続することと、ｃ）第２サービス送信器を前記第１アンテナから切断することと、ｄ）前記第２サービス送信器を第２アンテナへ接続することと、ｅ）ダイバーシティ受信器を前記第２アンテナから切断することと、を遂行するため、１つ以上のスイッチングデバイスを作動させることと、前記第１アンテナと前記デュアルモード受信器とを使用し第１サービスで第１サービス受信信号を受信することと、前記第２アンテナを使用し第２サービスで第２サービス送信信号を送信することと、を備える、方法。
【０００９】
別の態様によると、多数無線サービス共存のための方法であって、ａ）第１サービス送信器を第１アンテナへ接続することと、ｂ）デュアルモード受信器を前記第１アンテナから切断することと、ｃ）第２サービス送信器を前記第１アンテナから切断することと、ｄ）前記第２サービス送信器を第２アンテナへ接続することと、ｅ）ダイバーシティ受信器を前記第２アンテナから切断することと、を遂行するため、１つ以上のスイッチングデバイスを作動させることと、前記第１アンテナを使用し第１サービスで第１サービス送信信号を送信することと、前記第２アンテナを使用し第２サービスで第２サービス送信信号を送信することと、を備える、方法。
【００１０】
別の態様によると、多数無線サービス共存のための方法であって、ａ）第１サービス送信器を第１アンテナから切断することと、ｂ）デュアルモード受信器を前記第１アンテナへ接続することと、ｃ）第２サービス送信器を前記第１アンテナから切断することと、ｄ）前記第２サービス送信器を第２アンテナから切断することと、ｅ）ダイバーシティ受信器を前記第２アンテナへ接続することと、を遂行するため、１つ以上のスイッチングデバイスを作動させることと、前記第１アンテナと前記デュアルモード受信器とを使用し第１サービスで第１サービス受信信号を受信することと、前記第２アンテナと前記ダイバーシティ受信器とを使用し第２サービスで第２サービス受信信号を受信することと、を備える、方法。
【００１１】
別の態様によると、多数無線サービス共存のための装置であって、第１サービス送信器を第１フィルタ経路を通じてアンテナへ接続し、且つ第１サービス受信器を前記アンテナから切断するため、第１スイッチを作動させる手段と、第２サービス受信器を第２フィルタ経路を通じて前記アンテナへ接続し、且つ第２サービス送信器を前記アンテナから切断するため、第２スイッチを作動させる手段と、前記第１サービス送信器に対する送信電力制御を有効にする手段と、ａ）第２サービスの帯域の高排除率により、前記第１フィルタ経路を通じて前記アンテナへ第１サービス送信信号を送信することと、ｂ）第１サービスの帯域の高排除率により、前記アンテナから前記第２フィルタ経路を通じて第２サービス受信信号を受信することとのうち、いずれか一方または両方を遂行する手段と、を備える、装置。
【００１２】
別の態様によると、多数無線サービス共存のための装置であって、第１サービス送信器を第１フィルタ経路を通じてアンテナへ接続し、且つ第１サービス受信器を前記アンテナから切断するため、第１スイッチを作動させる手段と、第２サービス送信器を第２フィルタ経路を通じて前記アンテナへ接続し、且つ第２サービス受信器を前記アンテナから切断するため、第２スイッチを作動させる手段と、ａ）第２サービスの帯域の高排除率により、前記第１フィルタ経路を通じて前記アンテナへ第１サービス送信信号を送信することと、ｂ）第１サービスの帯域の高排除率により、前記第２フィルタ経路を通じて前記アンテナから第２サービス送信信号を送信することとのうち、いずれか一方または両方を遂行する手段と、を備える、装置。
【００１３】
別の態様によると、多数無線サービス共存のための装置であって、第１サービス受信器を第１フィルタ経路を通じてアンテナへ接続し、且つ第１サービス送信器を前記アンテナから切断するため、第１スイッチを作動させる手段と、第２サービス受信器を第２フィルタ経路を通じて前記アンテナへ接続し、且つ第２サービス送信器を前記アンテナから切断するため、第２スイッチを作動させる手段と、ａ）第２サービスの帯域の高排除率により、前記第１フィルタ経路を通じて前記アンテナへ第１サービス受信信号を受信することと、ｂ）第１サービスの帯域の高排除率により、前記アンテナから前記第２フィルタ経路を通じて第２サービス受信信号を受信することとのうち、いずれか一方または両方を遂行する手段と、を備える、装置。
【００１４】
別の態様によると、多数無線サービス共存のための装置であって、ａ）第１サービス送信器を第１アンテナへ接続することと、ｂ）デュアルモード受信器を前記第１アンテナから切断することと、ｃ）第２サービス送信器を前記第１アンテナから切断することと、ｄ）前記第２サービス送信器を第２アンテナから切断することと、ｅ）ダイバーシティ受信器を前記第２アンテナへ接続することと、を遂行するため、１つ以上のスイッチングデバイスを作動させる手段と、前記第１アンテナを使用し第１サービスで第１サービス送信信号を送信する手段と、前記第２アンテナと前記ダイバーシティ受信器とを使用し第２サービスで第２サービス受信信号を受信する手段と、を備える、装置。
【００１５】
別の態様によると、多数無線サービス共存のための装置であって、ａ）第１サービス送信器を第１アンテナから切断することと、ｂ）デュアルモード受信器を前記第１アンテナへ接続することと、ｃ）第２サービス送信器を前記第１アンテナから切断することと、ｄ）前記第２サービス送信器を第２アンテナへ接続することと、ｅ）ダイバーシティ受信器を前記第２アンテナから切断することと、を遂行するため、１つ以上のスイッチングデバイスを作動させる手段と、前記第１アンテナと前記デュアルモード受信器とを使用し第１サービスで第１サービス受信信号を受信する手段と、前記第２アンテナを使用し第２サービスで第２サービス送信信号を送信する手段と、を備える、装置。
【００１６】
別の態様によると、多数無線サービス共存のための装置であって、ａ）第１サービス送信器を第１アンテナへ接続することと、ｂ）デュアルモード受信器を前記第１アンテナから切断することと、ｃ）第２サービス送信器を前記第１アンテナから切断することと、ｄ）前記第２サービス送信器を第２アンテナへ接続することと、ｅ）ダイバーシティ受信器を前記第２アンテナから切断することと、を遂行するため、１つ以上のスイッチングデバイスを作動させる手段と、前記第１アンテナを使用し第１サービスで第１サービス送信信号を送信する手段と、前記第２アンテナを使用し第２サービスで第２サービス送信信号を送信する手段と、を備える、装置。
【００１７】
別の態様によると、多数無線サービス共存のための装置であって、ａ）第１サービス送信器を第１アンテナから切断することと、ｂ）デュアルモード受信器を前記第１アンテナへ接続することと、ｃ）第２サービス送信器を前記第１アンテナから切断することと、ｄ）前記第２サービス送信器を第２アンテナから切断することと、ｅ）ダイバーシティ受信器を前記第２アンテナへ接続することと、を遂行するため、１つ以上のスイッチングデバイスを作動させる手段と、前記第１アンテナと前記デュアルモード受信器とを使用し第１サービスで第１サービス受信信号を受信する手段と、前記第２アンテナと前記ダイバーシティ受信器とを使用し第２サービスで第２サービス受信信号を受信する手段と、を備える、装置。
【００１８】
別の態様によると、プロセッサとメモリとを備える装置であって、前記メモリは、第１サービス送信器を第１フィルタ経路を通じてアンテナへ接続し、且つ第１サービス受信器を前記アンテナから切断するため、第１スイッチを作動させることと、第２サービス受信器を第２フィルタ経路を通じて前記アンテナへ接続し、且つ第２サービス送信器を前記アンテナから切断するため、第２スイッチを作動させることと、前記第１サービス送信器に対する送信電力制御を有効にすることと、ａ）第２サービスの帯域の高排除率により、前記第１フィルタ経路を通じて前記アンテナへ第１サービス送信信号を送信することと、ｂ）第１サービスの帯域の高排除率により、前記アンテナから前記第２フィルタ経路を通じて第２サービス受信信号を受信することとのうち、いずれか一方または両方を遂行することと、を遂行する、前記プロセッサにより実行可能なプログラムコードを収容する、装置。
【００１９】
別の態様によると、プロセッサとメモリとを備える装置であって、前記メモリは、第１サービス送信器を第１フィルタ経路を通じてアンテナへ接続し、且つ第１サービス受信器を前記アンテナから切断するため、第１スイッチを作動させることと、第２サービス送信器を第２フィルタ経路を通じて前記アンテナへ接続し、且つ第２サービス受信器を前記アンテナから切断するため、第２スイッチを作動させることと、ａ）第２サービスの帯域の高排除率により、前記第１フィルタ経路を通じて前記アンテナへ第１サービス送信信号を送信することと、ｂ）第１サービスの帯域の高排除率により、前記第２フィルタ経路を通じて前記アンテナから第２サービス送信信号を送信することとのうち、いずれか一方または両方を遂行することと、を遂行する、前記プロセッサにより実行可能なプログラムコードを収容する、装置。
【００２０】
別の態様によると、プロセッサとメモリとを備える装置であって、前記メモリは、第１サービス受信器を第１フィルタ経路を通じてアンテナへ接続し、且つ第１サービス送信器を前記アンテナから切断するため、第１スイッチを作動させることと、第２サービス受信器を第２フィルタ経路を通じて前記アンテナへ接続し、且つ第２サービス送信器を前記アンテナから切断するため、第２スイッチを作動させることと、ａ）第２サービスの帯域の高排除率により、前記第１フィルタ経路を通じて前記アンテナへ第１サービス受信信号を受信することと、ｂ）第１サービスの帯域の高排除率により、前記アンテナから前記第２フィルタ経路を通じて第２サービス受信信号を受信することとのうち、いずれか一方または両方を遂行することと、を遂行する、前記プロセッサにより実行可能なプログラムコードを収容する、装置。
【００２１】
別の態様によると、プロセッサとメモリとを備える装置であって、前記メモリは、ａ）第１サービス送信器を第１アンテナへ接続することと、ｂ）デュアルモード受信器を前記第１アンテナから切断することと、ｃ）第２サービス送信器を前記第１アンテナから切断することと、ｄ）前記第２サービス送信器を第２アンテナから切断することと、ｅ）ダイバーシティ受信器を前記第２アンテナへ接続することと、を遂行するため、１つ以上のスイッチングデバイスを作動させることと、前記第１アンテナを使用し第１サービスで第１サービス送信信号を送信することと、前記第２アンテナと前記ダイバーシティ受信器とを使用し第２サービスで第２サービス受信信号を受信することと、を遂行する、前記プロセッサにより実行可能なプログラムコードを収容する、装置。
【００２２】
別の態様によると、プロセッサとメモリとを備える装置であって、前記メモリは、ａ）第１サービス送信器を第１アンテナから切断することと、ｂ）デュアルモード受信器を前記第１アンテナへ接続することと、ｃ）第２サービス送信器を前記第１アンテナから切断することと、ｄ）前記第２サービス送信器を第２アンテナへ接続することと、ｅ）ダイバーシティ受信器を前記第２アンテナから切断することと、を遂行するため、１つ以上のスイッチングデバイスを作動させることと、前記第１アンテナと前記デュアルモード受信器とを使用し第１サービスで第１サービス受信信号を受信することと、前記第２アンテナを使用し第２サービスで第２サービス送信信号を送信することと、を遂行する、前記プロセッサにより実行可能なプログラムコードを収容する、装置。
【００２３】
別の態様によると、プロセッサとメモリとを備える装置であって、前記メモリは、ａ）第１サービス送信器を第１アンテナへ接続することと、ｂ）デュアルモード受信器を前記第１アンテナから切断することと、ｃ）第２サービス送信器を前記第１アンテナから切断することと、ｄ）前記第２サービス送信器を第２アンテナへ接続することと、ｅ）ダイバーシティ受信器を前記第２アンテナから切断することと、を遂行するため、１つ以上のスイッチングデバイスを作動させることと、前記第１アンテナを使用し第１サービスで第１サービス送信信号を送信することと、前記第２アンテナを使用し第２サービスで第２サービス送信信号を送信することと、を遂行する、前記プロセッサにより実行可能なプログラムコードを収容する、装置。
【００２４】
別の態様によると、プロセッサとメモリとを備える装置であって、前記メモリは、ａ）第１サービス送信器を第１アンテナから切断することと、ｂ）デュアルモード受信器を前記第１アンテナへ接続することと、ｃ）第２サービス送信器を前記第１アンテナから切断することと、ｄ）前記第２サービス送信器を第２アンテナから切断することと、ｅ）ダイバーシティ受信器を前記第２アンテナへ接続することと、を遂行するため、１つ以上のスイッチングデバイスを作動させることと、前記第１アンテナと前記デュアルモード受信器とを使用し第１サービスで第１サービス受信信号を受信することと、前記第２アンテナと前記ダイバーシティ受信器とを使用し第２サービスで第２サービス受信信号を受信することと、を遂行する、前記プロセッサにより実行可能なプログラムコードを収容する、装置。
【００２５】
別の態様によると、コンピュータプログラムを格納するコンピュータ可読媒体であって、前記コンピュータプログラムの実行は、第１サービス送信器を第１フィルタ経路を通じてアンテナへ接続し、且つ第１サービス受信器を前記アンテナから切断するため、第１スイッチを作動させることと、第２サービス受信器を第２フィルタ経路を通じて前記アンテナへ接続し、且つ第２サービス送信器を前記アンテナから切断するため、第２スイッチを作動させることと、前記第１サービス送信器に対する送信電力制御を有効にすることと、ａ）第２サービスの帯域の高排除率により、前記第１フィルタ経路を通じて前記アンテナへ第１サービス送信信号を送信することと、ｂ）第１サービスの帯域の高排除率により、前記アンテナから前記第２フィルタ経路を通じて第２サービス受信信号を受信することとのうち、いずれか一方または両方を遂行することと、のためである、コンピュータ可読媒体。
【００２６】
別の態様によると、コンピュータプログラムを格納するコンピュータ可読媒体であって、前記コンピュータプログラムの実行は、第１サービス送信器を第１フィルタ経路を通じてアンテナへ接続し、且つ第１サービス受信器を前記アンテナから切断するため、第１スイッチを作動させることと、第２サービス送信器を第２フィルタ経路を通じて前記アンテナへ接続し、且つ第２サービス受信器を前記アンテナから切断するため、第２スイッチを作動させることと、ａ）第２サービスの帯域の高排除率により、前記第１フィルタ経路を通じて前記アンテナへ第１サービス送信信号を送信することと、ｂ）第１サービスの帯域の高排除率により、前記第２フィルタ経路を通じて前記アンテナから第２サービス送信信号を送信することとのうち、いずれか一方または両方を遂行することと、を目的とする、コンピュータ可読媒体。
【００２７】
別の態様によると、コンピュータプログラムを格納するコンピュータ可読媒体であって、前記コンピュータプログラムの実行は、第１サービス受信器を第１フィルタ経路を通じてアンテナへ接続し、且つ第１サービス送信器を前記アンテナから切断するため、第１スイッチを作動させることと、第２サービス受信器を第２フィルタ経路を通じて前記アンテナへ接続し、且つ第２サービス送信器を前記アンテナから切断するため、第２スイッチを作動させることと、ａ）第２サービスの帯域の高排除率により、前記第１フィルタ経路を通じて前記アンテナへ第１サービス受信信号を受信することと、ｂ）第１サービスの帯域の高排除率により、前記アンテナから前記第２フィルタ経路を通じて第２サービス受信信号を受信することとのうち、いずれか一方または両方を遂行することと、のためである、コンピュータ可読媒体。
【００２８】
別の態様によると、コンピュータプログラムを格納するコンピュータ可読媒体であって、前記コンピュータプログラムの実行は、ａ）第１サービス送信器を第１アンテナへ接続することと、ｂ）デュアルモード受信器を前記第１アンテナから切断することと、ｃ）第２サービス送信器を前記第１アンテナから切断することと、ｄ）前記第２サービス送信器を第２アンテナから切断することと、ｅ）ダイバーシティ受信器を前記第２アンテナへ接続することと、を遂行するため、１つ以上のスイッチングデバイスを作動させることと、前記第１アンテナを使用し第１サービスで第１サービス送信信号を送信することと、前記第２アンテナと前記ダイバーシティ受信器とを使用し第２サービスで第２サービス受信信号を受信することと、のためである、コンピュータ可読媒体。
【００２９】
別の態様によると、コンピュータプログラムを格納するコンピュータ可読媒体であって、前記コンピュータプログラムの実行は、ａ）第１サービス送信器を第１アンテナから切断することと、ｂ）デュアルモード受信器を前記第１アンテナへ接続することと、ｃ）第２サービス送信器を前記第１アンテナから切断することと、ｄ）前記第２サービス送信器を第２アンテナへ接続することと、ｅ）ダイバーシティ受信器を前記第２アンテナから切断することと、を遂行するため、１つ以上のスイッチングデバイスを作動させることと、前記第１アンテナと前記デュアルモード受信器とを使用し第１サービスで第１サービス受信信号を受信することと、前記第２アンテナを使用し第２サービスで第２サービス送信信号を送信することと、のためである、コンピュータ可読媒体。
【００３０】
別の態様によると、コンピュータプログラムを格納するコンピュータ可読媒体であって、前記コンピュータプログラムの実行は、ａ）第１サービス送信器を第１アンテナへ接続することと、ｂ）デュアルモード受信器を前記第１アンテナから切断することと、ｃ）第２サービス送信器を前記第１アンテナから切断することと、ｄ）前記第２サービス送信器を第２アンテナへ接続することと、ｅ）ダイバーシティ受信器を前記第２アンテナから切断することと、を遂行するため、１つ以上のスイッチングデバイスを作動させることと、前記第１アンテナを使用し第１サービスで第１サービス送信信号を送信することと、前記第２アンテナを使用し第２サービスで第２サービス送信信号を送信することと、を目的とする、コンピュータ可読媒体。
【００３１】
別の態様によると、コンピュータプログラムを格納するコンピュータ可読媒体であって、前記コンピュータプログラムの実行は、ａ）第１サービス送信器を第１アンテナから切断することと、ｂ）デュアルモード受信器を前記第１アンテナへ接続することと、ｃ）第２サービス送信器を前記第１アンテナから切断することと、ｄ）前記第２サービス送信器を第２アンテナから切断することと、ｅ）ダイバーシティ受信器を前記第２アンテナへ接続することと、を遂行するため、１つ以上のスイッチングデバイスを作動させることと、前記第１アンテナと前記デュアルモード受信器とを使用し第１サービスで第１サービス受信信号を受信することと、前記第２アンテナと前記ダイバーシティ受信器とを使用し第２サービスで第２サービス受信信号を受信することと、のためである、コンピュータ可読媒体。
【００３２】
本開示に見込まれる利点は、アクセス端末、ユーザ装置、モバイルデバイス等の単一デバイスで複数無線サービスについての同時の最高の処理性能を達成する能力を含む。
【００３３】
様々な態様を例証のために提示され説明される以降の詳細な説明から、他の態様が当業者にとって容易に明白となるであろうことが理解される。図面と詳細な説明は制限ではなく例証とみなされるべきである。
【図面の簡単な説明】
【００３４】
【図１】図１は、アクセスノード／ＵＥシステム例を示すブロック図である。
【図２】図２は、複数のユーザをサポートする無線通信システムの一例を示す。
【図３】図３は、ＢＴ−ＷＬＡＮ共存のための２アンテナダイバーシティソリューションの一例を示す。
【図４】図４は、ＢＴ−ＷＬＡＮ共存のためのプログラマブルダイプレクサソリューションの一例を示す。
【図５】図５は、同時のＷＬＡＮ送信およびＢＴ受信を提供するＢＴ−ＷＬＡＮ共存のためのＭＥＭＳダイプレクサソリューションの一例を示す。
【図６ａ】図６ａは、フィルタ応答の例を示す。図６ａはＭＥＭＳ式ダイプレクサのフィルタ応答を示しており、フィルタ＃１の線はＢＴ経路の応答を示し、フィルタ＃２の線はＷＬＡＮ経路の応答を示す。
【図６ｂ】図６ｂは、フィルタ応答の例を示す。
【図６ｃ】図６ｃは、フィルタ応答の例を示す。
【図７】図７は、多数無線サービス共存の流れ図の一例を示す。
【図８】図８は、多数無線サービス共存の流れ図の一例を示す。
【図９】図９は、多数無線サービス共存の流れ図の一例を示す。
【図１０】図１０は、多数無線サービス共存の流れ図の一例を示す。
【図１１】図１１は、多数無線サービス共存の流れ図の一例を示す。
【図１２】図１２は、多数無線サービス共存の流れ図の一例を示す。
【図１３】図１３は、多数無線サービス共存の流れ図の一例を示す。
【図１４】図１４は、多数無線サービス共存のプロセスを実行するためのメモリと通信するプロセッサを備えるデバイスの一例を示す。
【図１５】図１５は、多数無線サービス共存に適したデバイスの一例を示す。
【図１６】図１６は、多数無線サービス共存に適したデバイスの一例を示す。
【図１７】図１７は、多数無線サービス共存に適したデバイスの一例を示す。
【図１８】図１８は、多数無線サービス共存に適したデバイスの一例を示す。
【図１９】図１９は、多数無線サービス共存に適したデバイスの一例を示す。
【図２０】図２０は、多数無線サービス共存に適したデバイスの一例を示す。
【図２１】図２１は、多数無線サービス共存に適したデバイスの一例を示す。
【発明を実施するための形態】
【００３５】
添付の図面と関連し以下に示される詳細な説明は、本開示の様々な態様を説明することを意図しており、本開示を実施し得る限られた態様を示すことは意図していない。本開示で説明される態様は本開示の単なる例または例証として提示されており、必ずしも他の態様より望ましいものとして、あるいは他の態様より有利なものとして、解釈されるべきものではない。詳細な説明は、本開示を十分に理解することを目的とする具体的詳細を含んでいる。ただし、これらの具体的詳細がなくとも本開示を実施し得ることは当業者にとって明白であろう。本開示のコンセプトが不明瞭になることを避けるため、場合によっては周知の構造およびデバイスがブロック図の形で示される。頭字語やその他の記述用語は、専ら利便性と明確さのため使用されることはあるが、本開示の範囲を制限することを意図するものではない。
【００３６】
説明の簡潔を目的とし、一連の行為として方法が提示され説明されるが、１つ以上の態様によると、いくつかの行為は、ここで提示され説明されるものとは異なる順序で、および／または他の行為と同時に、発生することがあり、これらの方法が行為の順序によって制限されないことは理解し承知されたい。例えば当業者なら、状態図等において相互に関係する一連の状態またはイベントとして方法を表現できることを理解し承知するであろう。さらに、１つ以上の態様に従い方法を実現するにあたって、説明される行為の全てが必ずしも必要となるわけではない。
【００３７】
ここで説明する技法は、符号分割多重アクセス（ＣＤＭＡ）ネットワーク、時分割多重アクセス（ＴＤＭＡ）ネットワーク、周波数分割多重アクセス（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等、様々な無線通信ネットワークに使用できる。用語「ネットワーク」および「システム」はしばしば互換的に使われる。ＣＤＭＡネットワークでは、ユニバーサル地上無線アクセス（ＵＴＲＡ）、ｃｄｍａ２０００等の無線技術を実装することがある。ＵＴＲＡはワイドバンドＣＤＭＡ（Ｗ−ＣＤＭＡ）とローチップレート（ＬＣＲ）を含む。ｃｄｍａ２０００はＩＳ−２０００、ＩＳ−９５、およびＩＳ−８５６規格をカバーする。ＴＤＭＡネットワークでは、移動通信用グローバルシステム（ＧＳＭ（登録商標））等の無線技術を実装することがある。ＯＦＤＭＡネットワークでは、進化型ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ（登録商標）等の無線技術を実装することがある。ＵＴＲＡ、Ｅ−ＵＴＲＡ、およびＧＳＭは、ユニバーサル移動通信システム（ＵＭＴＳ）の一部をなす。ロングタームエボリューション（ＬＴＥ）はＥ−ＵＴＲＡを使用するＵＭＴＳの新規リリースである。ＵＴＲＡ、Ｅ−ＵＴＲＡ、ＧＳＭ、ＵＭＴＳ、およびＬＴＥについては、「第３世代パートナーシッププロジェクト」（３ＧＰＰ）と呼ばれる組織の文書で説明されている。ｃｄｍａ２０００については、「第３世代パートナーシッププロジェクト２」（３ＧＰＰ２）と呼ばれる組織の文書で説明されている。これらの様々な無線技術および規格は当技術分野で公知である。
【００３８】
図１は、アクセスノード／ＵＥシステム１００の例を示すブロック図である。当業者は、図１に図示されたアクセスノード／ＵＥシステム１００の例がＦＤＭＡ環境、ＯＦＤＭＡ環境、ＣＤＭＡ環境、ＷＣＤＭＡ（登録商標）環境、ＴＤＭＡ環境、ＳＤＭＡ環境、または他の何らかの好適な無線環境で実装され得ることを理解するであろう。
【００３９】
アクセスノード／ＵＥシステム１００は、アクセスノード１０１（基地局等）と、ユーザ装置またはＵＥ  ２０１（無線通信デバイス等）と、を含む。ダウンリンク行程において、アクセスノード１０１（基地局等）は、トラフィックデータを受け付け、フォーマットし、符号化し、インターリーブし、且つ変調（またはシンボルマッピング）し、且つ変調シンボル（データシンボル等）を提供する、送信（ＴＸ）データ処理器Ａ  １１０を含む。ＴＸデータ処理器Ａ  １１０はシンボル変調器Ａ  １２０と通信する。シンボル変調器Ａ  １２０はデータシンボルとダウンリンクパイロットシンボルを受け付けて処理し、且つ１ストリームのシンボルを提供する。一態様において、トラフィックデータを変調（またはシンボルマッピング）して変調シンボル（データシンボル等）を提供するのは、シンボル変調器Ａ  １２０である。一態様において、シンボル変調器Ａ  １２０は、構成情報を提供する処理器Ａ  １８０と通信する。シンボル変調器Ａ  １２０は送信ユニット（ＴＭＴＲ）Ａ  １３０と通信する。シンボル変調器Ａ  １２０はデータシンボルとダウンリンクパイロットシンボルを多重化し、且つそれらを送信ユニットＡ  １３０へ提供する。
【００４０】
送信される各シンボルは、データシンボル、ダウンリンクパイロットシンボル、またはゼロの信号値であってよい。ダウンリンクパイロットシンボルは各シンボル期間内に連続的に送信されてよい。一態様において、ダウンリンクパイロットシンボルは周波数分割多重化（ＦＤＭ）される。別の態様において、ダウンリンクパイロットシンボルは直交周波数分割多重化（ＯＦＤＭ）される。さらに別の態様において、ダウンリンクパイロットシンボルは符号分割多重化（ＣＤＭ）される。一態様において、送信ユニットＡ  １３０は１ストリームのシンボルを受け取り、且つこれを１つ以上のアナログ信号に変換し、さらにアナログ信号を調整する、例えばアナログ信号を増幅し、フィルタし、および／または周波数アップコンバートすることにより、無線送信に適したアナログダウンリンク信号を生成する。その後、アナログダウンリンク信号はアンテナ１４０を通じて送信される。
【００４１】
ダウンリンク行程において、ＵＥ  ２０１は、アナログダウンリンク信号を受信し且つアナログダウンリンク信号を受信ユニット（ＲＣＶＲ）Ｂ  ２２０へ入力するアンテナ２１０を、含む。一態様において、受信ユニットＢ  ２２０はアナログダウンリンク信号を調整する、例えばアナログダウンリンク信号をフィルタし、増幅し、および周波数ダウンコンバートすることにより、第１の「調整済み」信号とする。その後、第１の「調整済み」信号はサンプリングされる。受信ユニットＢ  ２２０はシンボル復調器Ｂ  ２３０と通信する。シンボル復調器Ｂ  ２３０は、受信ユニットＢ  ２２０から出力された第１の「調整済み」且つ「サンプリング済み」信号（データシンボル等）を復調する。当業者なら、サンプリングプロセスをシンボル復調器Ｂ  ２３０で実現する代案を理解するであろう。シンボル復調器Ｂ  ２３０は処理器Ｂ  ２４０と通信する。処理器Ｂ  ２４０はシンボル復調器Ｂ  ２３０からダウンリンクパイロットシンボルを受け取り、且つダウンリンクパイロットシンボルに対しチャネル推定を行う。一態様において、チャネル推定は目下の伝搬環境の特性を明らかにするプロセスである。シンボル復調器Ｂ  ２３０は、処理器Ｂ
２４０からダウンリンク行程の周波数応答推定を受け取る。シンボル復調器Ｂ  ２３０は、ダウンリンク経路についてデータシンボル推定を得るため、データシンボルに対しデータ復調を行う。ダウンリンク経路のデータシンボル推定は、送信されたデータシンボルの推定である。シンボル復調器Ｂ  ２３０はＲＸデータ処理器Ｂ  ２５０とも通信する。
【００４２】
ＲＸデータ処理器Ｂ  ２５０はシンボル復調器Ｂ  ２３０からダウンリンク経路のデータシンボル推定を受け取り、例えばダウンリンク経路のデータシンボル推定を復調し（すなわちシンボルデマッピングし）、デインターリーブし、および／または復号化することで、トラフィックデータを復元する。一態様において、シンボル復調器Ｂ  ２３０およびＲＸデータ処理器Ｂ  ２５０による処理は、それぞれシンボル変調器Ａ  １２０およびＴＸデータ処理器Ａ  １１０による処理と相補関係にある。
【００４３】
アップリンク行程において、ＵＥ  ２０１はＴＸデータ処理器Ｂ  ２６０を含む。ＴＸデータ処理器Ｂ  ２６０はトラフィックデータを受け付け、且つ処理することにより、データシンボルを出力する。ＴＸデータ処理器Ｂ  ２６０はシンボル変調器Ｄ  ２７０と通信する。シンボル変調器Ｄ  ２７０はデータシンボルを受け付け、且つアップリンクパイロットシンボルによりデータシンボルを多重化し、変調を行い、且つ１ストリームのシンボルを提供する。一態様において、シンボル変調器Ｄ  ２７０は、構成情報を提供する処理器Ｂ  ２４０と通信する。シンボル変調器Ｄ  ２７０は送信ユニットＢ  ２８０と通信する。
【００４４】
送信される各シンボルは、データシンボル、アップリンクパイロットシンボル、またはゼロの信号値であってよい。アップリンクパイロットシンボルは各シンボル期間内に連続的に送信されてよい。一態様において、アップリンクパイロットシンボルは周波数分割多重化（ＦＤＭ）される。別の態様において、アップリンクパイロットシンボルは直交周波数分割多重化（ＯＦＤＭ）される。さらに別の態様において、アップリンクパイロットシンボルは符号分割多重化（ＣＤＭ）される。一態様において、送信ユニットＢ  ２８０は１ストリームのシンボルを受け取り、且つこれを１つ以上のアナログ信号に変換し、さらにアナログ信号を調整する、例えばアナログ信号を増幅し、フィルタし、および／または周波数アップコンバートすることにより、無線送信に適したアナログアップリンク信号を生成する。その後、アナログアップリンク信号はアンテナ２１０を通じて送信される。
【００４５】
ＵＥ  ２０１からのアナログアップリンク信号はアンテナ１４０によって受信され、サンプルを得るために受信ユニットＡ  １５０により処理される。一態様において、受信ユニットＡ  １５０はアナログアップリンク信号を調整する、例えばアナログアップリンク信号をフィルタし、増幅し、および周波数ダウンコンバートすることにより、第２の「調整済み」信号とする。その後、第２の「調整済み」信号はサンプリングされる。受信ユニットＡ  １５０はシンボル復調器Ｃ  １６０と通信する。当業者は、サンプリングプロセスをシンボル復調器Ｃ  １６０で実現する代案を理解するであろう。シンボル復調器Ｃ  １６０は、アップリンク経路のデータシンボル推定を得るために、データシンボルに対しデータ復調を行い、次にアップリンクパイロットシンボルとアップリンク経路のデータシンボル推定をＲＸデータ処理器Ａ  １７０へ提供する。アップリンク経路のデータシンボル推定は、送信されたデータシンボルの推定である。ＲＸデータ処理器Ａ  １７０は、無線通信デバイス２０１によって送信されたトラフィックデータを復元するために、アップリンク経路のデータシンボル推定を処理する。シンボル復調器Ｃ  １６０は処理器Ａ  １８０とも通信する。処理器Ａ  １８０は、アップリンク行程で送信するアクティブな各端末につきチャネル推定を行う。一態様においては、複数の端末がアップリンク行程でそれぞれに割り当てられたパイロットサブバンドセットで同時にパイロットシンボルを送信することがあり、パイロットサブバンドセットはインタレースされることがある。
【００４６】
処理器Ａ  １８０および処理器Ｂ  ２４０は、それぞれアクセスノード１０１（基地局等）およびＵＥ  ２０１における動作を指揮（すなわち制御、調整、または管理）する。
【００４７】
一態様において、処理器Ａ  １８０および処理器Ｂ  ２４０のいずれか一方または両方には、プログラムコードおよび／またはデータを格納する１つ以上の記憶装置（図示せず）が対応付られる。一態様において、処理器Ａ  １８０および処理器Ｂ  ２４０のいずれか一方または両方は、それぞれアップリンク行程およびダウンリンク行程についての周波数およびインパルス応答推定を得るために計算を行う。
【００４８】
一態様において、アクセスノード／ＵＥシステム１００は多重アクセスシステムである。多重アクセスシステム（周波数分割多重アクセス（ＦＤＭＡ）、直交周波数分割多重アクセス（ＯＦＤＭＡ）、符号分割多重アクセス（ＣＤＭＡ）、時分割多重アクセス（ＴＤＭＡ）、空間分割多重アクセス（ＳＤＭＡ）等）では、多数の端末がアップリンク行程で同時に送信し、複数のＵＥに対するアクセスを可能とする。一態様において、多重アクセスシステムでは、異なる端末間でパイロットサブバンドが共用されることがある。各端末のパイロットサブバンドが動作帯域全体（帯域端を除く場合がある）におよぶ場合は、チャネル推定技術が使用される。各端末につき周波数ダイバーシティを得るには、そのようなパイロットサブバンド構造が望ましい。
【００４９】
複数のユーザ（モバイルユーザデバイス２９６Ｂ、２９６Ｉ等）をサポートする無線通信システム２９０の一例を図２に示す。図２において、参照符号２９２Ａから２９２Ｇはセルを指し、参照符号２９８Ａから２９８Ｇは基地局（ＢＳ）またはベーストランシーバステーション（ＢＴＳ）を指し、参照符号２９６Ａから２９６Ｊはアクセスユーザ装置（ＵＥ）またはモバイルユーザデバイスを指す。セルの大きさは異ならせてよい。システム２９０における伝送をスケジュールするために、様々なアルゴリズムおよび方法のいずれかを使用できる。システム２９０は多数のセル２９２Ａから２９２Ｇに通信を提供し、それぞれのセルは該当する基地局２９８Ａから２９８Ｇが受け持つ。
【００５０】
通信ネットワークの一つの重要な特性は、ネットワークの構成要素間で電気信号を伝送する有線または無線媒体の選択である。有線ネットワークの場合は、一定の距離にわたってメッセージトラフィックを運ぶ誘導電磁波形を伝搬するために、銅線、同軸ケーブル、光ファイバケーブル等、有形の物理媒体が使用される。有線ネットワークは通信ネットワークの伝統的形態であり、通常は固定されたネットワーク要素の相互接続や大量データ転送の場合に好まれる。例えば地表における大陸横断または大陸間の大量データ転送等、大規模ネットワークハブ間の長距離高性能転送用途の伝送媒体としては、光ファイバケーブルがしばしば好まれる。
【００５１】
一方、ネットワーク要素が動的な接続を伴う携帯電話機である場合や、ネットワークアーキテクチャが固定トポロジではなくアドホックトポロジで形成される場合は、大抵は無線ネットワークが好まれる。無線ネットワークは非誘導伝搬モードで無形の物理媒体を使用し、無線周波数帯、マイクロ波周波数帯、赤外周波数帯、光周波数帯等の電磁波を使用する。無線ネットワークには、固定された有線ネットワークに比べてユーザのモビリティと迅速な現場配置を促進するという明白な利点がある。ただし、無線伝搬を使用するにはネットワークユーザ間で多大なアクティブリソース管理と整合性のあるスペクトル利用のための高度な相互調整および連携とが要求される。
【００５２】
例えば、一般的な無線ネットワーク技術は、Ｂｌｕｅｔｏｏｔｈ（ＢＴ）と無線ローカルエリアネットワーク（ＷＬＡＮ）を含む。ＢｌｕｅｔｏｏｔｈとＷＬＡＮはいずれもデバイスに接続能力を提供するように設計された無線通信技術である。
【００５３】
Ｂｌｕｅｔｏｏｔｈは、例えば無線ヘッドセットや電話機およびラップトップ間の接続に使用される。Ｂｌｕｅｔｏｏｔｈは、ローカルコンポーネント間の有線相互接続に代わる手段として、非常に短い距離にわたって、通常は半径数メートルのカバレッジエリアで、無線パーソナルエリアネットワーク（ＷＰＡＮ）を実現するため無線通信プロトコルに幅広く利用されている。一例において、Ｂｌｕｅｔｏｏｔｈはパーソナルコンピュータ、個人用デジタル補助装置（ＰＤＡ）、携帯電話機、無線ヘッドセット等を接続するため使用されてよい。
【００５４】
一方ＷＬＡＮは、ＷｉＦｉ等の広く使用されているネットワークプロトコルを、より一般的にはＩＥＥＥ  ８０２．１１無線プロトコル系列のいずれかを使用し、近接するデバイスを相互接続するために使用される。ＷＬＡＮは、例えば家庭や会社の無線ネットワーク（すなわちＷｉＦｉ）に使用される。
【００５５】
無線ネットワーク技術の一つの問題として、無線ネットワーク技術はしばしば伝送にあたって同じ周波数帯を共用するということがある。このため、同一チャネル干渉は、積極的に対処しなければならない問題である。例えば、ＢｌｕｅｔｏｏｔｈシステムとＷＬＡＮシステムはいずれも、２．４ＧＨｚを中心とする免許不要の同じ産業・科学・医療用（ＩＳＭ）スペクトル帯を使用しうる。一例において、モバイルデバイスは両無線技術にアクセスする費用効率の高い共通アンテナを共有することがある。同時ＢＴおよびＷＬＡＮ動作をともなうユーザシナリオをサポートするには、時分割多重アクセス（ＴＤＭＡ）共存アルゴリズムが実装される。つまり、同一位置にある無線デバイスでＢｌｕｅｔｏｏｔｈアクセス技術とＷＬＡＮアクセス技術の運用を調整する共存アルゴリズムが必要となる。
【００５６】
ただし、ＢＴとＷＬＡＮとで別個のアンテナを使用してシステムを並行して作動させ、同一デバイス内で強い干渉技術の存在に対応するようＢＴおよびＷＬＡＮ  ＲＦ回路を設計することにより、性能向上を達成することができる。加えて、各技術の送受信電力レベルに応じてＢＴおよびＷＬＡＮ電力制御を変化させることにより、デュアルアンテナ並行処理が可能となる条件の範囲を広げることができる。また、高水準アルゴリズムを実装することにより、信号の状態および性能に応じてデュアルアンテナ並行処理と従来型ＴＤＭＡ方式を切り替えることができる。
【００５７】
別の態様では代替のアンテナ実装を使用できる。例えば、モバイルデバイスは、ワイドエリアネットワーク（ＷＡＮ）用アンテナとＢＴおよびＷＬＡＮ用デュアルアンテナとの動的切り替えを実装できる。一例において、第２アンテナは電子パッケージ上のプリント回路として実装される。あるいは、より低コストの単一の物理アンテナでデュアルアンテナの性能利点を得るために、プログラマブルダイプレクサか専用コンバイナを備えるシングルアンテナが使用される。一例において、ダイプレクサは、微小電気機械システム（ＭＥＭＳ）技術により十分なＲＦアイソレーションを提供するよう実装される。
【００５８】
本開示で使用できるアンテナ種別の例としてダイポール、ヘリックス、パッチ、マイクロストリップ、ホイップ、モノポール等がある。当業者は、これらのアンテナ種別例が制限的でなく、本開示の範囲または精神に影響することなく他のアンテナ種別を使用できることを理解するであろう。
【００５９】
一態様において、Ｂｌｕｅｔｏｏｔｈ（ＢＴ）等の無線パーソナルエリアネットワーク（ＷＰＡＮ）と無線ローカルエリアネットワーク（ＷＬＡＮ）との共存には数通りのアプローチがある。一例においては、媒体アクセス制御（ＭＡＣ）レベル技術として時分割多重化方式（ＴＤＭ）を使用し、ある一時にただひとつの無線システムを作動させ、アクセスポイント（ＡＰ）のタイミング制御には、例えばパケットトラフィックアービトレーション（ＰＴＡ）か８０２．１１プロトコル機能を使用する。この場合、最大可能スループットはシステムがチャネルを有する時間の割合によって決まる。
【００６０】
別の例においては、ＲＦアイソレーションによる伝送並行処理を共存に使用できる。例えば、伝送並行処理は、一技術の送信器と別技術の受信器との間の干渉軽減と周波数分離（ＢＴ自動周波数ホッピング等）を含み得る。伝送並行処理は、例えば微小電気機械システム（ＭＥＭＳ）技術を使用するプログラマブルダイプレクサを備えるシングルアンテナにより、あるいは２つのアンテナポート間の良好なＲＦアイソレーションを備えるデュアルアンテナにより、得ることができる。この場合は、特定の信号状態に対しＲＦアイソレーションが十分なら完全に単独のスループットを達成できる。
【００６１】
別の例においては、例えばＴＤＭとアンテナＲＦアイソレーションを組み合わせることにより、伝送並行処理を得ることができる。例えば、自動周波数ホッピング（ＡＦＨ）が可能でない場合は、あるいはＡＦＨ周波数がＷＬＡＮ周波数と重なる場合は、ＴＤＭを使用できる。あるいは、一技術の送信電力が強く、別技術の受信電力が弱いため、アイソレーションが不十分となる場合は、ＴＤＭを使用できる。別の例において、残りの時間にはＲＦアイソレーションを使用できる。この場合、ＲＦアイソレーション方式の性能は、２つのシステムが完全に並行して作動できる具体的条件の範囲により定量化される。
【００６２】
一態様において、共用低雑音増幅器（ＬＮＡ）設計は、スイッチ挿入損失の解消により受信器感度の向上と単独性能の向上をもたらす。例えば、ＢＴ／ＷＬＡＮ共存のための共用ＬＮＡ設計は約０．５〜１．５ｄＢの感度向上を有することがある。
【００６３】
別の例においては、シングルアンテナ共用ＬＮＡアプローチと併せて、追加ＲＦフィルタリングなしの２アンテナソリューションをＢＴ−ＷＬＡＮ共存に使用することができる。一例において、プライマリアンテナとＬＮＡはＢＴモードのみに使用され、これとは別のダイバーシティアンテナとＬＮＡはＷＬＡＮモードに使用される。一例において、ＷＬＡＮ送信信号をダイバーシティアンテナへ送るには追加のスイッチが必要となることがある。
【００６４】
ＢＴ−ＷＬＡＮ共存ソリューションの性能概要の例を下の表１に示す。ここに見られるように、概してＢＴおよびＷＬＡＮモードの伝送範囲が小さくなるほど完全並行動作の見込みは高くなる。逆に、ＢＴおよびＷＬＡＮの伝送範囲が大きくなるほど並行動作の見込みは低くなり、ＴＤＭ方式が有利となる。一例においては、ＢＴモード、ＷＬＡＮモード、または両モードでの送信電力制御により完全な並行動作が可能となる。別の例では、相対的な伝送範囲に応じて並行動作とＴＤＭ動作との動的切り替えが提供される。
【表１】
0006017520.tif 000002
【００６５】
一例において、別々のアンテナを使用する並行動作のときに、ＷＬＡＮモードはダイバーシティアンテナを使用でき、ＢＴモードはプライマリアンテナを使用できる。加えて、ＷＬＡＮ受信器はダイバーシティＬＮＡを使用でき、ＷＬＡＮ送信器はダイバーシティアンテナを経由することができる。一態様において、ＷＬＡＮダイバーシティ経路受信経路フィルタは、例えば０．２ｍｍ２の余分な土地を費やすことで三次から五次まで増加する。別の態様において、自動利得制御（ＡＧＣ）アルゴリズムはハードウェア影響をともなうことなく変化する。
【００６６】
ＢＴ−ＷＬＡＮ共存のための２アンテナダイバーシティソリューションの一例を図３に示す。例えば、ＢＴおよびＷＬＡＮ送信モードのための別個の電力増幅器（ＰＡ）が図示されている。また、プライマリアンテナとダイバーシティアンテナには別個の低雑音増幅器（ＬＮＡ）がそれぞれ接続されている。さらに一例において、ＷＬＡＮ送信モードＰＡはプライマリアンテナとダイバーシティアンテナとで切り替え可能である。
【００６７】
ＢＴ−ＷＬＡＮ共存のためのプログラマブルダイプレクサソリューションの一例を図４に示す。一例において、アンテナスイッチは１枚のＷＬＡＮシステム・オン・チップ（ＳＯＣ）基板上に置かれる。別の例において、バラン（すなわち平衡／不平衡信号変成器）は、ＷＬＡＮモジュールの外部に、ただし物理的にＷＬＡＮモジュールの近くにある。
【００６８】
同時のＷＬＡＮ送信・ＢＴ受信を提供するＢＴ−ＷＬＡＮ共存のためのＭＥＭＳダイプレクサソリューションの一例を図５に示す。一例において、共通アンテナとＢＴモジュールおよびＷＬＡＮモジュールとの間の個々の信号経路には２つのＭＥＭＳノッチフィルタが接続される。一例においては、２つのＭＥＭＳノッチフィルタがダイプレクサを形成するために、コンバイナは不要である。加えて、ＭＥＭＳノッチフィルタと同じ物理的基板を使用する共存用バンドパスフィルタ（ＢＰＦ）がアンテナインターフェイスに含まれてよい。
【００６９】
一態様において、ＭＥＭＳ式ダイプレクサは、ＷＬＡＮ動作周波数をＢＴシステムが使用し得るＩＳＭ帯域の残りの部分から分離することができる。フィルタ応答の例を図６ａ、６ｂ、および６ｃに示す。例えば、図６ａはＭＥＭＳ式ダイプレクサのフィルタ応答を示しており、フィルタ＃１の線はＢＴ経路の応答を示し、フィルタ＃２の線はＷＬＡＮ経路の応答を示す。図６ａにおいて、ＭＥＭはダイプレクサとして構成されている。一態様において、これはＷＬＡＮ動作周波数をＢＴが使用するＩＳＭ帯域の残りの部分から分離してもよい。一例において、フィルタ＃１応答はＷＬＡＮ帯域に該当するＢＴ送信広帯域雑音を排除し、フィルタ＃２応答はＷＬＡＮ受信器に干渉するＢＴ信号を排除する。
【００７０】
一例において、ＭＥＭＳ式ダイプレクサはプログラム可能である。プログラム可能であるということは、ＷＬＡＮ動作帯域が変化する場合に、ダイプレクサが完全に再構成されてもよいことを示している。一例において、ＢＴまたはＷＬＡＮ動作においていずれか一方のモードが稼働する場合、使用されない経路のＭＥＭＳ式ダイプレクサは高インピーダンス状態にプログラムできる。一態様において、高インピーダンス状態は、２通りの方法のいずれか一方で達成される。（１）ＷＬＡＮ動作モードのみの場合、ＢＴ経路は既に高インピーダンス状態にあるため、ＢＴ経路内のＭＥＭＳ式ダイプレクサは変化しない。ただしこの場合においては、ＢＴモードに低挿入損失についての要求がないので（すなわちＢＴモードが非動作であるので）、この高インピーダンス状態をさらに高いインピーダンスにすることは可能である。ＢＴ動作モードのみの場合はその逆が当てはまる。（２）ＭＥＭＳ式ダイプレクサノッチは周波数範囲をより広くし挿入損失をより深くするようプログラムでき、これによりＭＥＭＳ式ダイプレクサノッチはより高いインピーダンスを有し、且つより良好な開回路となる。一例において、単一モード動作でＭＥＭＳ式ダイプレクサをプログラミングする根拠は、ダイプレクサをスイッチのように働かせることにある。
【００７１】
加えて、単一モード動作でスイッチのように動作するＭＥＭＳ式ダイプレクサを有することにより、時分割動作も可能となる。具体的には、パケットトラフィックアービトレーション（ＰＴＡ）に基づく制御も可能となる。別の例においては、バンドパスフィルタ（ＢＰＦ）がダイプレクサ設計に含まれてよい。
【００７２】
多数無線サービス共存の第１の流れ図の一例を図７に示す。ブロック７１０では、第１サービス送信器を第１フィルタ経路を通じてアンテナへ接続し、且つ第１サービス受信器をアンテナから切断するために、第１スイッチを作動させる。ブロック７２０では、第２サービス受信器を第２フィルタ経路を通じてアンテナへ接続し、且つ第２サービス送信器をアンテナから切断するために、第２スイッチを作動させる。ブロック７３０では、第１サービス送信器に対する送信電力制御を有効にする。ブロック７４０では、ａ）第２サービスの帯域の高排除率により、第１フィルタ経路を通じてアンテナへ第１サービス送信信号を送信することと、ｂ）第１サービスの帯域の高排除率により、アンテナから第２フィルタ経路を通じて第２サービス受信信号を受信することとのうち、いずれか一方または両方を遂行する。
【００７３】
多数無線サービス共存の第１の流れ図の一例を図８に示す。ブロック８１０では、第１サービス送信器を第１フィルタ経路を通じてアンテナへ接続し、且つ第１サービス受信器をアンテナから切断するために、第１スイッチを作動させる。ブロック８２０では、第２サービス送信器を第２フィルタ経路を通じてアンテナへ接続し、且つ第２サービス受信器をアンテナから切断するために、第２スイッチを作動させる。ブロック８３０では、ａ）第２サービスの帯域の高排除率により、第１フィルタ経路を通じてアンテナへ第１サービス送信信号を送信することと、ｂ）第１サービスの帯域の高排除率により、第２フィルタ経路を通じてアンテナから第２サービス送信信号を送信することとのうち、いずれか一方または両方を遂行する。
【００７４】
多数無線サービス共存の第１の流れ図の一例を図９に示す。ブロック９１０では、第１サービス受信器を第１フィルタ経路を通じてアンテナへ接続し、且つ第１サービス送信器をアンテナから切断するために、第１スイッチを作動させる。ブロック９２０では、第２サービス受信器を第２フィルタ経路を通じてアンテナへ接続し、且つ第２サービス送信器をアンテナから切断するため、第２スイッチを作動させる。ブロック９３０では、ａ）第２サービスの帯域の高排除率により、第１フィルタ経路を通じてアンテナへ第１サービス受信信号を受信することと、ｂ）第１サービスの帯域の高排除率により、アンテナから第２フィルタ経路を通じて第２サービス受信信号を受信することとのうち、いずれか一方または両方を遂行する。
【００７５】
一例において、第１サービスは無線パーソナルエリアネットワーク（ＷＰＡＮ）である。一例において、第１サービスはＢｌｕｅｔｏｏｔｈ（ＢＴ）である。一例において、第２サービスは無線ローカルエリアネットワーク（ＷＬＡＮ）である。一例において、第１および第２スイッチは同じスイッチであってよい。一例において、第１および第２スイッチはプログラム可能である。一例において、図７、８、または９の流れ図のステップは、図５に見られる構造の一部または全部により実現できる。
【００７６】
多数無線サービス共存の第２の流れ図の一例を図１０に示す。ブロック１０１０では、ａ）第１サービス送信器を第１アンテナへ接続することと、ｂ）デュアルモード受信器を第１アンテナから切断することと、ｃ）第２サービス送信器を第１アンテナから切断することと、ｄ）第２サービス送信器を第２アンテナから切断することと、ｅ）ダイバーシティ受信器を第２アンテナへ接続することと、を遂行するために、１つ以上のスイッチングデバイスを作動させる。ブロック１０２０では、第１アンテナを使用し第１サービスで第１サービス送信信号を送信する。ブロック１０３０では、第２アンテナとダイバーシティ受信器とを使用して第２サービスで第２サービス受信信号を受信する。
【００７７】
多数無線サービス共存の第２の流れ図の一例を図１１に示す。ブロック１１１０では、ａ）第１サービス送信器を第１アンテナから切断することと、ｂ）デュアルモード受信器を第１アンテナへ接続することと、ｃ）第２サービス送信器を第１アンテナから切断することと、ｄ）第２サービス送信器を第２アンテナへ接続することと、ｅ）ダイバーシティ受信器を第２アンテナから切断することと、を遂行するために、１つ以上のスイッチングデバイスを作動させる。ブロック１１２０では、第１アンテナとデュアルモード受信器とを使用して第１サービスで第１サービス受信信号を受信する。ブロック１１３０では、第２アンテナを使用して第２サービスで第２サービス送信信号を送信する。
【００７８】
多数無線サービス共存の第２の流れ図の一例を図１２に示す。ブロック１２１０では、ａ）第１サービス送信器を第１アンテナへ接続することと、ｂ）デュアルモード受信器を第１アンテナから切断することと、ｃ）第２サービス送信器を第１アンテナから切断することと、ｄ）第２サービス送信器を第２アンテナへ接続することと、ｅ）ダイバーシティ受信器を第２アンテナから切断することと、を遂行するために、１つ以上のスイッチングデバイスを作動させる。ブロック１２２０では、第１アンテナを使用して第１サービスで第１サービス送信信号を送信する。ブロック１２３０では、第２アンテナを使用して第２サービスで第２サービス送信信号を送信する。
【００７９】
多数無線サービス共存の第２の流れ図の一例を図１３に示す。ブロック１３１０では、ａ）第１サービス送信器を第１アンテナから切断することと、ｂ）デュアルモード受信器を第１アンテナへ接続することと、ｃ）第２サービス送信器を第１アンテナから切断することと、ｄ）第２サービス送信器を第２アンテナから切断することと、ｅ）ダイバーシティ受信器を第２アンテナへ接続することと、を遂行するために、１つ以上のスイッチングデバイスを作動させる。ブロック１３２０では、第１アンテナとデュアルモード受信器とを使用して第１サービスで第１サービス受信信号を受信する。ブロック１３３０では、第２アンテナとダイバーシティ受信器とを使用して第２サービスで第２サービス受信信号を受信する。
【００８０】
一例において、第１サービスは無線パーソナルエリアネットワーク（ＷＰＡＮ）である。一例において、第１サービスはＢｌｕｅｔｏｏｔｈ（ＢＴ）である。一例において、第２サービスは無線ローカルエリアネットワーク（ＷＬＡＮ）である。一例において、図１０から図１３の流れ図のステップは、図３に見られる構造の一部または全部により実現できる。
【００８１】
図７から図１３の例ではスイッチの使用を開示しているが、他のデバイス（すなわちスイッチングデバイス）を、これが電気的デバイスであれ、機械的デバイスであれ、ソフトウェアに基づくデバイスであれ、またはこれらの組み合わせによるデバイスであれ、本開示の精神または範囲に影響することなく使用できることを、当業者は理解するであろう。
【００８２】
加えて、図７から図１３の例ではサービス種別の例が開示されているが、ここで開示されているサービス種別は排他的でなく、ここで具体的に述べられていない他のサービス種別を排除しないことを、当業者は理解するであろう。
【００８３】
当業者は、図７から図１３の例示的流れ図で開示されたステップの順序が、本開示の範囲および精神から逸脱することなく変更可能であることを理解するであろう。また、流れ図に示されたステップは排他的でなく、本開示の範囲および精神に影響することなく、他のステップを加えることができること、あるいは例示的流れ図にある１つ以上のステップを削除できることを、当業者は理解するであろう。
【００８４】
当業者はさらに、ここで開示される例との関係で説明される種々の例証的コンポーネント、論理ブロック、モジュール、回路、および／またはアルゴリズムステップを、電子ハードウェア、ファームウェア、コンピュータソフトウェア、またはこれらの組み合わせとして実装できることを承知するであろう。このハードウェア、ファームウェア、およびソフトウェアの互換性を明確に例証するため、種々の例証的コンポーネント、ブロック、モジュール、回路、および／またはアルゴリズムステップは、上記において全般的にそれらの機能の観点から説明されている。かかる機能がハードウェア、ファームウェア、またはソフトウェアとして実装されるか否かは、特定の用途とシステム全体にかかる設計上の制約次第で決まる。当業者は、説明された機能を特定の用途に応じて様々に実装できるが、かかる実装決定は、本開示の範囲または精神からの逸脱を招くものと解釈されるべきものではない。
【００８５】
例えばハードウェア実装の場合は、１つ以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、ここで説明した機能を遂行するよう設計された他の電子装置、またはこれらの組み合わせの中で、処理装置を実装できる。ソフトウェアの場合は、ここで説明した機能を遂行するモジュール（プロシージャ、関数等）による実装が可能である。ソフトウェアコードは記憶装置に蓄積し、処理装置により実行することができる。加えて、ここで説明した種々の例証的流れ図、論理ブロック、モジュール、および／またはアルゴリズムステップは、当技術分野で公知である任意のコンピュータ可読媒体に保持されるコンピュータ可読命令として符号化することもでき、あるいは当技術分野で公知である任意のコンピュータプログラム製品で実装することもできる。
【００８６】
１つ以上の例において、ここで説明されるステップまたは機能は、ハードウェア、ソフトウェア、ファームウェア、またはこれらの任意の組み合わせで実装できる。ソフトウェアで実装される場合、機能は、１つ以上の命令またはコードとして、コンピュータ可読媒体に蓄積でき、あるいはコンピュータ可読媒体で伝送できる。コンピュータ可読媒体にはコンピュータ蓄積媒体と通信媒体があり、ある１つの場所から別の場所にかけてコンピュータプログラムを移動するのに役立つ任意の媒体を含む。蓄積媒体は、コンピュータによるアクセスが可能な何らかの入手可能な媒体であってよい。制限ではなく例として、かかるコンピュータ可読媒体は、ＲＡＭ、ＲＯＭ、ＥＥＰＲＯＭ、ＣＤ−ＲＯＭまたは他の光学式ディスクストレージ、磁気式ディスクストレージまたは他の磁気式蓄積装置、または所望のプログラムコードを命令またはデータ構造の形で保持または蓄積するため使用でき且つコンピュータによりアクセスできる他の任意の媒体を含み得る。また、任意の接続は厳密にはコンピュータ可読媒体と呼ばれる。例えば、同軸ケーブル、光ファイバケーブル、ツイストペア、デジタル加入者回線（ＤＳＬ）、または赤外線、電波、およびマイクロ波等の無線技術を使用し、ウェブサイト、サーバ、または他の遠隔発信元からソフトウェアが送信される場合、同軸ケーブル、光ファイバケーブル、ツイストペア、ＤＳＬ、または赤外線、電波、およびマイクロ波等の無線技術は、媒体の定義に含まれる。ここで使用されるディスク（ｄｉｓｋおよびｄｉｓｃ）は、コンパクトディスク（ＣＤ）、レーザーディスク（登録商標）、光ディスク、デジタル多用途ディスク（ＤＶＤ）、フロッピー（登録商標）ディスク、およびブルーレイディスク（登録商標）を含み、ディスク（ｄｉｓｋ）は通常データを磁気方式で再生し、ディスク（ｄｉｓｃ）はデータをレーザにより光学方式で再生する。上記の組み合わせもまたコンピュータ可読媒体の範囲に含まれるものとする。
【００８７】
一例において、ここで説明される例証的コンポーネント、流れ図、論理ブロック、モジュール、および／またはアルゴリズムステップは、１つ以上のプロセッサにより実現または遂行される。一態様において、プロセッサはメモリと結合され、同メモリは、ここで説明される種々の流れ図、論理ブロック、および／またはモジュールを実現または遂行するため同プロセッサにより実行されるデータ、メタデータ、プログラム命令、その他を、蓄積する。メモリ１４２０と通信するプロセッサ１４１０を備え多数無線サービス共存のプロセスを実行するデバイス１４００の一例を図１４に示す。一例において、デバイス１４００は図７から図１３に示されたアルゴリズムを実現するため使用される。一態様において、メモリ１４２０はプロセッサ１４１０の中にある。別の態様において、メモリ１４２０はプロセッサ１４１０の外にある。一態様において、プロセッサは、ここで説明される種々の流れ図、論理ブロック、および／またはモジュールを実現または遂行する回路を含む。
【００８８】
多数無線サービス共存に適したデバイス１５００の一例を図１５に示す。一態様において、デバイス１５００は少なくとも１つのプロセッサにより実現され、同プロセッサは、ブロック１５１０、１５２０、１５３０、および１５４０にて、ここで説明されている多数無線サービス共存の様々な態様を提供するよう構成された１つ以上のモジュールを備える。例えば、各モジュールは、ハードウェア、ファームウェア、ソフトウェア、またはこれらの任意の組み合わせを含む。一態様において、デバイス１５００はまた、少なくとも１つのプロセッサと通信する少なくとも１つのメモリにより実現される。
【００８９】
多数無線サービス共存に適したデバイス１６００の一例を図１６に示す。一態様において、デバイス１６００は少なくとも１つのプロセッサにより実現され、同プロセッサは、ブロック１６１０、１６２０、および１６３０にて、ここで説明されている多数無線サービス共存の様々な態様を提供するよう構成された１つ以上のモジュールを備える。例えば、各モジュールは、ハードウェア、ファームウェア、ソフトウェア、またはこれらの任意の組み合わせを含む。一態様において、デバイス１６００はまた、少なくとも１つのプロセッサと通信する少なくとも１つのメモリにより実現される。
【００９０】
多数無線サービス共存に適したデバイス１７００の一例を図１７に示す。一態様において、デバイス１７００は少なくとも１つのプロセッサにより実現され、同プロセッサは、ブロック１７１０、１７２０、および１７３０にて、ここで説明されている多数無線サービス共存の様々な態様を提供するよう構成された１つ以上のモジュールを備える。例えば、各モジュールは、ハードウェア、ファームウェア、ソフトウェア、またはこれらの任意の組み合わせを含む。一態様において、デバイス１７００はまた、少なくとも１つのプロセッサと通信する少なくとも１つのメモリにより実現される。
【００９１】
多数無線サービス共存に適した第２デバイス１８００の一例を図１８に示す。一態様において、デバイス１８００は少なくとも１つのプロセッサにより実現され、同プロセッサは、ブロック１８１０、１８２０、および１８３０にて、ここで説明されている多数無線サービス共存の様々な態様を提供するよう構成された１つ以上のモジュールを備える。例えば、各モジュールは、ハードウェア、ファームウェア、ソフトウェア、またはこれらの任意の組み合わせを含む。一態様において、デバイス１８００はまた、少なくとも１つのプロセッサと通信する少なくとも１つのメモリにより実現される。
【００９２】
多数無線サービス共存に適した第２デバイス１９００の一例を図１９に示す。一態様において、デバイス１９００は少なくとも１つのプロセッサにより実現され、同プロセッサは、ブロック１９１０、１９２０、および１９３０にて、ここで説明されている多数無線サービス共存の様々な態様を提供するよう構成された１つ以上のモジュールを備える。例えば、各モジュールは、ハードウェア、ファームウェア、ソフトウェア、またはこれらの任意の組み合わせを含む。一態様において、デバイス１９００はまた、少なくとも１つのプロセッサと通信する少なくとも１つのメモリにより実現される。
【００９３】
多数無線サービス共存に適した第２デバイス２０００の一例を図２０に示す。一態様において、デバイス２０００は少なくとも１つのプロセッサにより実現され、同プロセッサは、ブロック２０１０、２０２０、および２０３０にて、ここで説明されている多数無線サービス共存の様々な態様を提供するよう構成された１つ以上のモジュールを備える。例えば、各モジュールは、ハードウェア、ファームウェア、ソフトウェア、またはこれらの任意の組み合わせを含む。一態様において、デバイス２０００はまた、少なくとも１つのプロセッサと通信する少なくとも１つのメモリにより実現される。
【００９４】
多数無線サービス共存に適した第２デバイス２１００の一例を図２１に示す。一態様において、デバイス２１００は少なくとも１つのプロセッサにより実現され、同プロセッサは、ブロック２１１０、２１２０、および２１３０にて、ここで説明されている多数無線サービス共存の様々な態様を提供するよう構成された１つ以上のモジュールを備える。例えば、各モジュールは、ハードウェア、ファームウェア、ソフトウェア、またはこれらの任意の組み合わせを含む。一態様において、デバイス２１００はまた、少なくとも１つのプロセッサと通信する少なくとも１つのメモリにより実現される。
【００９５】
開示された態様に関する以上の説明は、当業者が本開示を作成または使用することを可能とするため提供されている。これらの態様に対する様々な修正は当業者にとって明白であり、ここで規定された一般原理は本開示の精神または範囲から逸脱することなく他の態様に応用できる。
以下に、本願出願の当初の特許請求の範囲に記載された発明を付記する。
［Ｃ１］
多数無線サービス共存のための方法であって、
第１サービス送信器を第１フィルタ経路を通じてアンテナへ接続し、且つ第１サービス受信器を前記アンテナから切断するため、第１スイッチを作動させることと、
第２サービス受信器を第２フィルタ経路を通じて前記アンテナへ接続し、且つ第２サービス送信器を前記アンテナから切断するため、第２スイッチを作動させることと、
前記第１サービス送信器に対する送信電力制御を有効にすることと、
ａ）第２サービスの帯域の高排除率により、前記第１フィルタ経路を通じて前記アンテナへ第１サービス送信信号を送信することと、
ｂ）第１サービスの帯域の高排除率により、前記アンテナから前記第２フィルタ経路を通じて第２サービス受信信号を受信することとのうち、
いずれか一方または両方を遂行することと、を備える、方法。
［Ｃ２］
前記第２サービス受信信号の受信を改善するために前記第１サービス送信器の送信電力を低減することをさらに備える、Ｃ１の方法。
［Ｃ３］
前記第１サービス送信信号を送信し且つ前記第２サービス受信信号を受信する同時サービスを維持する能力を判定することをさらに備える、Ｃ１の方法。
［Ｃ４］
前記同時サービスを無効にすることと、前記第１サービス送信信号を送信するサービスまたは前記第２サービス受信信号を受信するサービスのうち、いずれか一方に優先権を与えることと、をさらに備える、Ｃ３の方法。
［Ｃ５］
前記第１および第２フィルタ経路はＭＥＭＳノッチフィルタにより実現される、Ｃ１の方法。
［Ｃ６］
前記第１スイッチと前記第２スイッチはプログラム制御される、Ｃ５の方法。
［Ｃ７］
前記第１サービスまたは前記第２サービスのうち少なくとも一方の帯域外排除を提供するために、前記第１フィルタ経路または前記第２フィルタ経路のうち少なくとも一方をプログラムすることをさらに備える、Ｃ１の方法。
［Ｃ８］
前記第１サービスまたは第２サービスのうち少なくとも一方はＢｌｕｅｔｏｏｔｈ（ＢＴ）である、Ｃ１の方法。
［Ｃ９］
前記第１サービスまたは第２サービスのうち少なくとも一方は無線ローカルエリアネットワーク（ＷＬＡＮ）である、Ｃ１の方法。
［Ｃ１０］
前記ＷＬＡＮは８０２．１１プロトコルを含む、Ｃ９の方法。
［Ｃ１１］
多数無線サービス共存のための方法であって、
第１サービス送信器を第１フィルタ経路を通じてアンテナへ接続し、且つ第１サービス受信器を前記アンテナから切断するため、第１スイッチを作動させることと、
第２サービス送信器を第２フィルタ経路を通じて前記アンテナへ接続し、且つ第２サービス受信器を前記アンテナから切断するため、第２スイッチを作動させることと、
ａ）第２サービスの帯域の高排除率により、前記第１フィルタ経路を通じて前記アンテナへ第１サービス送信信号を送信することと、
ｂ）第１サービスの帯域の高排除率により、前記第２フィルタ経路を通じて前記アンテナから第２サービス送信信号を送信することとのうち、
いずれか一方または両方を遂行することと、を備える、方法。
［Ｃ１２］
前記第１サービスまたは前記第２サービスのうち少なくとも一方の帯域外排除を提供するため、前記第１フィルタ経路または前記第２フィルタ経路のうち少なくとも一方をプログラムすることをさらに備える、Ｃ１１の方法。
［Ｃ１３］
前記第１サービスまたは第２サービスのうち少なくとも一方はＢｌｕｅｔｏｏｔｈ（ＢＴ）であり、他方は無線ローカルエリアネットワーク（ＷＬＡＮ）である、Ｃ１２の方法。
［Ｃ１４］
多数無線サービス共存のための方法であって、
第１サービス受信器を第１フィルタ経路を通じてアンテナへ接続し、且つ第１サービス送信器を前記アンテナから切断するため、第１スイッチを作動させることと、
第２サービス受信器を第２フィルタ経路を通じて前記アンテナへ接続し、且つ第２サービス送信器を前記アンテナから切断するため、第２スイッチを作動させることと、
ａ）第２サービスの帯域の高排除率により、前記第１フィルタ経路を通じて前記アンテナへ第１サービス受信信号を受信することと、
ｂ）第１サービスの帯域の高排除率により、前記アンテナから前記第２フィルタ経路を通じて第２サービス受信信号を受信することとのうち、
いずれか一方または両方を遂行することと、を備える、方法。
［Ｃ１５］
前記第１サービスまたは前記第２サービスのうち少なくとも一方の帯域外排除を提供するため、前記第１フィルタ経路または前記第２フィルタ経路のうち少なくとも一方をプログラムすることをさらに備える、Ｃ１４の方法。
［Ｃ１６］
前記第１サービスまたは第２サービスのうち少なくとも一方はＢｌｕｅｔｏｏｔｈ（ＢＴ）であり、他方は無線ローカルエリアネットワーク（ＷＬＡＮ）である、Ｃ１５の方法。
［Ｃ１７］
多数無線サービス共存のための方法であって、
ａ）第１サービス送信器を第１アンテナへ接続することと、
ｂ）デュアルモード受信器を前記第１アンテナから切断することと、
ｃ）第２サービス送信器を前記第１アンテナから切断することと、
ｄ）前記第２サービス送信器を第２アンテナから切断することと、
ｅ）ダイバーシティ受信器を前記第２アンテナへ接続することと、
を遂行するため、１つ以上のスイッチングデバイスを作動させることと、
前記第１アンテナを使用し第１サービスで第１サービス送信信号を送信することと、
前記第２アンテナと前記ダイバーシティ受信器とを使用し第２サービスで第２サービス受信信号を受信することと、を備える、方法。
［Ｃ１８］
前記第１サービスはＢｌｕｅｔｏｏｔｈ（ＢＴ）であり、前記第２サービスは無線ローカルエリアネットワーク（ＷＬＡＮ）である、Ｃ１７の方法。
［Ｃ１９］
多数無線サービス共存のための方法であって、
ａ）第１サービス送信器を第１アンテナから切断することと、
ｂ）デュアルモード受信器を前記第１アンテナへ接続することと、
ｃ）第２サービス送信器を前記第１アンテナから切断することと、
ｄ）前記第２サービス送信器を第２アンテナへ接続することと、
ｅ）ダイバーシティ受信器を前記第２アンテナから切断することと、
を遂行するため、１つ以上のスイッチングデバイスを作動させることと、
前記第１アンテナと前記デュアルモード受信器とを使用し第１サービスで第１サービス受信信号を受信することと、
前記第２アンテナを使用し第２サービスで第２サービス送信信号を送信することと、を備える、方法。
［Ｃ２０］
前記第１サービスはＢｌｕｅｔｏｏｔｈ（ＢＴ）であり、前記第２サービスは無線ローカルエリアネットワーク（ＷＬＡＮ）である、Ｃ１９の方法。
［Ｃ２１］
多数無線サービス共存のための方法であって、
ａ）第１サービス送信器を第１アンテナへ接続することと、
ｂ）デュアルモード受信器を前記第１アンテナから切断することと、
ｃ）第２サービス送信器を前記第１アンテナから切断することと、
ｄ）前記第２サービス送信器を第２アンテナへ接続することと、
ｅ）ダイバーシティ受信器を前記第２アンテナから切断することと、
を遂行するため、１つ以上のスイッチングデバイスを作動させることと、
前記第１アンテナを使用し第１サービスで第１サービス送信信号を送信することと、
前記第２アンテナを使用し第２サービスで第２サービス送信信号を送信することと、を備える、方法。
［Ｃ２２］
前記第１サービスはＢｌｕｅｔｏｏｔｈ（ＢＴ）であり、前記第２サービスは無線ローカルエリアネットワーク（ＷＬＡＮ）である、Ｃ２１の方法。
［Ｃ２３］
多数無線サービス共存のための方法であって、
ａ）第１サービス送信器を第１アンテナから切断することと、
ｂ）デュアルモード受信器を前記第１アンテナへ接続することと、
ｃ）第２サービス送信器を前記第１アンテナから切断することと、
ｄ）前記第２サービス送信器を第２アンテナから切断することと、
ｅ）ダイバーシティ受信器を前記第２アンテナへ接続することと、
を遂行するため、１つ以上のスイッチングデバイスを作動させることと、
前記第１アンテナと前記デュアルモード受信器とを使用し第１サービスで第１サービス受信信号を受信することと、
前記第２アンテナと前記ダイバーシティ受信器とを使用し第２サービスで第２サービス受信信号を受信することと、を備える、方法。
［Ｃ２４］
前記第１サービスはＢｌｕｅｔｏｏｔｈ（ＢＴ）であり、前記第２サービスは無線ローカルエリアネットワーク（ＷＬＡＮ）である、Ｃ２３の方法。
［Ｃ２５］
前記ＷＬＡＮは８０２．１１プロトコルを含む、Ｃ２４の方法。
［Ｃ２６］
前記第２サービス受信信号は前記第１サービス受信信号のコピーである、Ｃ２３の方法。
［Ｃ２７］
多数無線サービス共存のための装置であって、
第１サービス送信器を第１フィルタ経路を通じてアンテナへ接続し、且つ第１サービス受信器を前記アンテナから切断するため、第１スイッチを作動させる手段と、
第２サービス受信器を第２フィルタ経路を通じて前記アンテナへ接続し、且つ第２サービス送信器を前記アンテナから切断するため、第２スイッチを作動させる手段と、
前記第１サービス送信器に対する送信電力制御を有効にする手段と、
ａ）第２サービスの帯域の高排除率により、前記第１フィルタ経路を通じて前記アンテナへ第１サービス送信信号を送信することと、
ｂ）第１サービスの帯域の高排除率により、前記アンテナから前記第２フィルタ経路を通じて第２サービス受信信号を受信することとのうち、
いずれか一方または両方を遂行する手段と、を備える、装置。
［Ｃ２８］
前記第２サービス受信信号の受信を改善するため前記第１サービス送信器の送信電力を低減する手段をさらに備える、Ｃ２７の装置。
［Ｃ２９］
前記第１サービス送信信号を送信し且つ前記第２サービス受信信号を受信する同時サービスを維持する能力を判定する手段をさらに備える、Ｃ２７の装置。
［Ｃ３０］
前記同時サービスを無効にする手段と、前記第１サービス送信信号を送信するサービスまたは前記第２サービス受信信号を受信するサービスのうち、いずれか一方に優先権を与える手段と、をさらに備える、Ｃ２７の装置。
［Ｃ３１］
前記第１および第２フィルタ経路はＭＥＭＳノッチフィルタにより実現される、Ｃ２７の装置。
［Ｃ３２］
前記第１スイッチと前記第２スイッチはプログラム制御される、Ｃ３１の装置。
［Ｃ３３］
前記第１サービスまたは前記第２サービスのうち少なくとも一方の帯域外排除を提供するため、前記第１フィルタ経路または前記第２フィルタ経路のうち少なくとも一方をプログラムする手段をさらに備える、Ｃ２７の装置。
［Ｃ３４］
前記第１サービスまたは第２サービスのうち少なくとも一方はＢｌｕｅｔｏｏｔｈ（ＢＴ）である、Ｃ２７の装置。
［Ｃ３５］
前記第１サービスまたは第２サービスのうち少なくとも一方は無線ローカルエリアネットワーク（ＷＬＡＮ）である、Ｃ２７の装置。
［Ｃ３６］
前記ＷＬＡＮは８０２．１１プロトコルを含む、Ｃ３５の装置。
［Ｃ３７］
多数無線サービス共存のための装置であって、
第１サービス送信器を第１フィルタ経路を通じてアンテナへ接続し、且つ第１サービス受信器を前記アンテナから切断するため、第１スイッチを作動させる手段と、
第２サービス送信器を第２フィルタ経路を通じて前記アンテナへ接続し、且つ第２サービス受信器を前記アンテナから切断するため、第２スイッチを作動させる手段と、
ａ）第２サービスの帯域の高排除率により、前記第１フィルタ経路を通じて前記アンテナへ第１サービス送信信号を送信することと、
ｂ）第１サービスの帯域の高排除率により、前記第２フィルタ経路を通じて前記アンテナから第２サービス送信信号を送信することとのうち、
いずれか一方または両方を遂行する手段と、を備える、装置。
［Ｃ３８］
前記第１サービスまたは前記第２サービスのうち少なくとも一方の帯域外排除を提供するため、前記第１フィルタ経路または前記第２フィルタ経路のうち少なくとも一方をプログラムする手段をさらに備える、Ｃ３７の装置。
［Ｃ３９］
前記第１サービスまたは第２サービスのうち少なくとも一方はＢｌｕｅｔｏｏｔｈ（ＢＴ）であり、他方は無線ローカルエリアネットワーク（ＷＬＡＮ）である、Ｃ３８の装置。
［Ｃ４０］
多数無線サービス共存のための装置であって、
第１サービス受信器を第１フィルタ経路を通じてアンテナへ接続し、且つ第１サービス送信器を前記アンテナから切断するため、第１スイッチを作動させる手段と、
第２サービス受信器を第２フィルタ経路を通じて前記アンテナへ接続し、且つ第２サービス送信器を前記アンテナから切断するため、第２スイッチを作動させる手段と、
ａ）第２サービスの帯域の高排除率により、前記第１フィルタ経路を通じて前記アンテナへ第１サービス受信信号を受信することと、
ｂ）第１サービスの帯域の高排除率により、前記アンテナから前記第２フィルタ経路を通じて第２サービス受信信号を受信することとのうち、
いずれか一方または両方を遂行する手段と、を備える、装置。
［Ｃ４１］
前記第１サービスまたは前記第２サービスのうち少なくとも一方の帯域外排除を提供するため、前記第１フィルタ経路または前記第２フィルタ経路のうち少なくとも一方をプログラムする手段をさらに備える、Ｃ４０の装置。
［Ｃ４２］
前記第１サービスまたは第２サービスのうち少なくとも一方はＢｌｕｅｔｏｏｔｈ（ＢＴ）であり、他方は無線ローカルエリアネットワーク（ＷＬＡＮ）である、Ｃ４１の装置。
［Ｃ４３］
多数無線サービス共存のための装置であって、
ａ）第１サービス送信器を第１アンテナへ接続することと、
ｂ）デュアルモード受信器を前記第１アンテナから切断することと、
ｃ）第２サービス送信器を前記第１アンテナから切断することと、
ｄ）前記第２サービス送信器を第２アンテナから切断することと、
ｅ）ダイバーシティ受信器を前記第２アンテナへ接続することと、
を遂行するため、１つ以上のスイッチングデバイスを作動させる手段と、
前記第１アンテナを使用し第１サービスで第１サービス送信信号を送信する手段と、
前記第２アンテナと前記ダイバーシティ受信器とを使用し第２サービスで第２サービス受信信号を受信する手段と、を備える、装置。
［Ｃ４４］
前記第１サービスはＢｌｕｅｔｏｏｔｈ（ＢＴ）であり、前記第２サービスは無線ローカルエリアネットワーク（ＷＬＡＮ）である、Ｃ４３に記載の装置。
［Ｃ４５］
多数無線サービス共存のための装置であって、
ａ）第１サービス送信器を第１アンテナから切断することと、
ｂ）デュアルモード受信器を前記第１アンテナへ接続することと、
ｃ）第２サービス送信器を前記第１アンテナから切断することと、
ｄ）前記第２サービス送信器を第２アンテナへ接続することと、
ｅ）ダイバーシティ受信器を前記第２アンテナから切断することと、
を遂行するため、１つ以上のスイッチングデバイスを作動させる手段と、
前記第１アンテナと前記デュアルモード受信器とを使用し第１サービスで第１サービス受信信号を受信する手段と、
前記第２アンテナを使用し第２サービスで第２サービス送信信号を送信する手段と、を備える、装置。
［Ｃ４６］
前記第１サービスはＢｌｕｅｔｏｏｔｈ（ＢＴ）であり、前記第２サービスは無線ローカルエリアネットワーク（ＷＬＡＮ）である、Ｃ４５の装置。
［Ｃ４７］
多数無線サービス共存のための装置であって、
ａ）第１サービス送信器を第１アンテナへ接続することと、
ｂ）デュアルモード受信器を前記第１アンテナから切断することと、
ｃ）第２サービス送信器を前記第１アンテナから切断することと、
ｄ）前記第２サービス送信器を第２アンテナへ接続することと、
ｅ）ダイバーシティ受信器を前記第２アンテナから切断することと、
を遂行するため、１つ以上のスイッチングデバイスを作動させる手段と、
前記第１アンテナを使用し第１サービスで第１サービス送信信号を送信する手段と、
前記第２アンテナを使用し第２サービスで第２サービス送信信号を送信する手段と、を備える、装置。
［Ｃ４８］
前記第１サービスはＢｌｕｅｔｏｏｔｈ（ＢＴ）であり、前記第２サービスは無線ローカルエリアネットワーク（ＷＬＡＮ）である、Ｃ４７の装置。
［Ｃ４９］
多数無線サービス共存のための装置であって、
ａ）第１サービス送信器を第１アンテナから切断することと、
ｂ）デュアルモード受信器を前記第１アンテナへ接続することと、
ｃ）第２サービス送信器を前記第１アンテナから切断することと、
ｄ）前記第２サービス送信器を第２アンテナから切断することと、
ｅ）ダイバーシティ受信器を前記第２アンテナへ接続することと、
を遂行するため、１つ以上のスイッチングデバイスを作動させる手段と、
前記第１アンテナと前記デュアルモード受信器とを使用し第１サービスで第１サービス受信信号を受信する手段と、
前記第２アンテナと前記ダイバーシティ受信器とを使用し第２サービスで第２サービス受信信号を受信する手段と、を備える、装置。
［Ｃ５０］
前記第１サービスはＢｌｕｅｔｏｏｔｈ（ＢＴ）であり、前記第２サービスは無線ローカルエリアネットワーク（ＷＬＡＮ）である、Ｃ４９の装置。
［Ｃ５１］
前記ＷＬＡＮは８０２．１１プロトコルを含む、Ｃ５０の装置。
［Ｃ５２］
前記第２サービス受信信号は前記第１サービス受信信号のコピーである、Ｃ４９の装置。
［Ｃ５３］
プロセッサとメモリとを備える装置であって、前記メモリは、
第１サービス送信器を第１フィルタ経路を通じてアンテナへ接続し、且つ第１サービス受信器を前記アンテナから切断するため、第１スイッチを作動させることと、
第２サービス受信器を第２フィルタ経路を通じて前記アンテナへ接続し、且つ第２サービス送信器を前記アンテナから切断するため、第２スイッチを作動させることと、
前記第１サービス送信器に対する送信電力制御を有効にすることと、
ａ）第２サービスの帯域の高排除率により、前記第１フィルタ経路を通じて前記アンテナへ第１サービス送信信号を送信することと、
ｂ）第１サービスの帯域の高排除率により、前記アンテナから前記第２フィルタ経路を通じて第２サービス受信信号を受信することとのうち、
いずれか一方または両方を遂行することと、を遂行する、前記プロセッサにより実行可能なプログラムコードを収容する、装置。
［Ｃ５４］
プロセッサとメモリとを備える装置であって、前記メモリは、
第１サービス送信器を第１フィルタ経路を通じてアンテナへ接続し、且つ第１サービス受信器を前記アンテナから切断するため、第１スイッチを作動させることと、
第２サービス送信器を第２フィルタ経路を通じて前記アンテナへ接続し、且つ第２サービス受信器を前記アンテナから切断するため、第２スイッチを作動させることと、
ａ）第２サービスの帯域の高排除率により、前記第１フィルタ経路を通じて前記アンテナへ第１サービス送信信号を送信することと、
ｂ）第１サービスの帯域の高排除率により、前記第２フィルタ経路を通じて前記アンテナから第２サービス送信信号を送信することとのうち、
いずれか一方または両方を遂行することと、を遂行する、前記プロセッサにより実行可能なプログラムコードを収容する、装置。
［Ｃ５５］
プロセッサとメモリとを備える装置であって、前記メモリは、
第１サービス受信器を第１フィルタ経路を通じてアンテナへ接続し、且つ第１サービス送信器を前記アンテナから切断するため、第１スイッチを作動させることと、
第２サービス受信器を第２フィルタ経路を通じて前記アンテナへ接続し、且つ第２サービス送信器を前記アンテナから切断するため、第２スイッチを作動させることと、
ａ）第２サービスの帯域の高排除率により、前記第１フィルタ経路を通じて前記アンテナへ第１サービス受信信号を受信することと、
ｂ）第１サービスの帯域の高排除率により、前記アンテナから前記第２フィルタ経路を通じて第２サービス受信信号を受信することとのうち、
いずれか一方または両方を遂行することと、を遂行する、前記プロセッサにより実行可能なプログラムコードを収容する、装置。
［Ｃ５６］
プロセッサとメモリとを備える装置であって、前記メモリは、
ａ．第１サービス送信器を第１アンテナへ接続することと、
ｂ．デュアルモード受信器を前記第１アンテナから切断することと、
ｃ．第２サービス送信器を前記第１アンテナから切断することと、
ｄ．前記第２サービス送信器を第２アンテナから切断することと、
ｅ．ダイバーシティ受信器を前記第２アンテナへ接続することと、
を遂行するため、１つ以上のスイッチングデバイスを作動させることと、
前記第１アンテナを使用し第１サービスで第１サービス送信信号を送信することと、
前記第２アンテナと前記ダイバーシティ受信器とを使用し第２サービスで第２サービス受信信号を受信することと、を遂行する、前記プロセッサにより実行可能なプログラムコードを収容する、装置。
［Ｃ５７］
プロセッサとメモリとを備える装置であって、前記メモリは、
ａ）第１サービス送信器を第１アンテナから切断することと、
ｂ）デュアルモード受信器を前記第１アンテナへ接続することと、
ｃ）第２サービス送信器を前記第１アンテナから切断することと、
ｄ）前記第２サービス送信器を第２アンテナへ接続することと、
ｅ）ダイバーシティ受信器を前記第２アンテナから切断することと、
を遂行するため、１つ以上のスイッチングデバイスを作動させることと、
前記第１アンテナと前記デュアルモード受信器とを使用し第１サービスで第１サービス受信信号を受信することと、
前記第２アンテナを使用し第２サービスで第２サービス送信信号を送信することと、を遂行する、前記プロセッサにより実行可能なプログラムコードを収容する、装置。
［Ｃ５８］
プロセッサとメモリとを備える装置であって、前記メモリは、
ａ）第１サービス送信器を第１アンテナへ接続することと、
ｂ）デュアルモード受信器を前記第１アンテナから切断することと、
ｃ）第２サービス送信器を前記第１アンテナから切断することと、
ｄ）前記第２サービス送信器を第２アンテナへ接続することと、
ｅ）ダイバーシティ受信器を前記第２アンテナから切断することと、
を遂行するため、１つ以上のスイッチングデバイスを作動させることと、
前記第１アンテナを使用し第１サービスで第１サービス送信信号を送信することと、
前記第２アンテナを使用し第２サービスで第２サービス送信信号を送信することと、を遂行する、前記プロセッサにより実行可能なプログラムコードを収容する、装置。
［Ｃ５９］
プロセッサとメモリとを備える装置であって、前記メモリは、
ａ）第１サービス送信器を第１アンテナから切断することと、
ｂ）デュアルモード受信器を前記第１アンテナへ接続することと、
ｃ）第２サービス送信器を前記第１アンテナから切断することと、
ｄ）前記第２サービス送信器を第２アンテナから切断することと、
ｅ）ダイバーシティ受信器を前記第２アンテナへ接続することと、
を遂行するため、１つ以上のスイッチングデバイスを作動させることと、
前記第１アンテナと前記デュアルモード受信器とを使用し第１サービスで第１サービス受信信号を受信することと、
前記第２アンテナと前記ダイバーシティ受信器とを使用し第２サービスで第２サービス受信信号を受信することと、を遂行する、前記プロセッサにより実行可能なプログラムコードを収容する、装置。
［Ｃ６０］
コンピュータプログラムを格納するコンピュータ可読媒体であって、前記コンピュータプログラムの実行は、
第１サービス送信器を第１フィルタ経路を通じてアンテナへ接続し、且つ第１サービス受信器を前記アンテナから切断するため、第１スイッチを作動させることと、
第２サービス受信器を第２フィルタ経路を通じて前記アンテナへ接続し、且つ第２サービス送信器を前記アンテナから切断するため、第２スイッチを作動させることと、
前記第１サービス送信器に対する送信電力制御を有効にすることと、
ａ）第２サービスの帯域の高排除率により、前記第１フィルタ経路を通じて前記アンテナへ第１サービス送信信号を送信することと、
ｂ）第１サービスの帯域の高排除率により、前記アンテナから前記第２フィルタ経路を通じて第２サービス受信信号を受信することとのうち、
いずれか一方または両方を遂行することと、のためである、コンピュータ可読媒体。
［Ｃ６１］
コンピュータプログラムを格納するコンピュータ可読媒体であって、前記コンピュータプログラムの実行は、
第１サービス送信器を第１フィルタ経路を通じてアンテナへ接続し、且つ第１サービス受信器を前記アンテナから切断するため、第１スイッチを作動させることと、
第２サービス送信器を第２フィルタ経路を通じて前記アンテナへ接続し、且つ第２サービス受信器を前記アンテナから切断するため、第２スイッチを作動させることと、
ａ）第２サービスの帯域の高排除率により、前記第１フィルタ経路を通じて前記アンテナへ第１サービス送信信号を送信することと、
ｂ）第１サービスの帯域の高排除率により、前記第２フィルタ経路を通じて前記アンテナから第２サービス送信信号を送信することとのうち、
いずれか一方または両方を遂行することと、のためである、コンピュータ可読媒体。
［Ｃ６２］
コンピュータプログラムを格納するコンピュータ可読媒体であって、前記コンピュータプログラムの実行は、
第１サービス受信器を第１フィルタ経路を通じてアンテナへ接続し、且つ第１サービス送信器を前記アンテナから切断するため、第１スイッチを作動させることと、
第２サービス受信器を第２フィルタ経路を通じて前記アンテナへ接続し、且つ第２サービス送信器を前記アンテナから切断するため、第２スイッチを作動させることと、
ａ）第２サービスの帯域の高排除率により、前記第１フィルタ経路を通じて前記アンテナへ第１サービス受信信号を受信することと、
ｂ）第１サービスの帯域の高排除率により、前記アンテナから前記第２フィルタ経路を通じて第２サービス受信信号を受信することとのうち、
いずれか一方または両方を遂行することと、のためである、コンピュータ可読媒体。
［Ｃ６３］
コンピュータプログラムを格納するコンピュータ可読媒体であって、前記コンピュータプログラムの実行は、
ａ．第１サービス送信器を第１アンテナへ接続することと、
ｂ．デュアルモード受信器を前記第１アンテナから切断することと、
ｃ．第２サービス送信器を前記第１アンテナから切断することと、
ｄ．前記第２サービス送信器を第２アンテナから切断することと、
ｅ．ダイバーシティ受信器を前記第２アンテナへ接続することと、
を遂行するため、１つ以上のスイッチングデバイスを作動させることと、
前記第１アンテナを使用し第１サービスで第１サービス送信信号を送信することと、
前記第２アンテナと前記ダイバーシティ受信器とを使用し第２サービスで第２サービス受信信号を受信することと、のためである、コンピュータ可読媒体。
［Ｃ６４］
コンピュータプログラムを格納するコンピュータ可読媒体であって、前記コンピュータプログラムの実行は、
ａ）第１サービス送信器を第１アンテナから切断することと、
ｂ）デュアルモード受信器を前記第１アンテナへ接続することと、
ｃ）第２サービス送信器を前記第１アンテナから切断することと、
ｄ）前記第２サービス送信器を第２アンテナへ接続することと、
ｅ）ダイバーシティ受信器を前記第２アンテナから切断することと、
を遂行するため、１つ以上のスイッチングデバイスを作動させることと、
前記第１アンテナと前記デュアルモード受信器とを使用し第１サービスで第１サービス受信信号を受信することと、
前記第２アンテナを使用し第２サービスで第２サービス送信信号を送信することと、のためである、コンピュータ可読媒体。
［Ｃ６５］
コンピュータプログラムを格納するコンピュータ可読媒体であって、前記コンピュータプログラムの実行は、
ａ）第１サービス送信器を第１アンテナへ接続することと、
ｂ）デュアルモード受信器を前記第１アンテナから切断することと、
ｃ）第２サービス送信器を前記第１アンテナから切断することと、
ｄ）前記第２サービス送信器を第２アンテナへ接続することと、
ｅ）ダイバーシティ受信器を前記第２アンテナから切断することと、
を遂行するため、１つ以上のスイッチングデバイスを作動させることと、
前記第１アンテナを使用し第１サービスで第１サービス送信信号を送信することと、
前記第２アンテナを使用し第２サービスで第２サービス送信信号を送信することと、のためである、コンピュータ可読媒体。
［Ｃ６６］
コンピュータプログラムを格納するコンピュータ可読媒体であって、前記コンピュータプログラムの実行は、
ａ）第１サービス送信器を第１アンテナから切断することと、
ｂ）デュアルモード受信器を前記第１アンテナへ接続することと、
ｃ）第２サービス送信器を前記第１アンテナから切断することと、
ｄ）前記第２サービス送信器を第２アンテナから切断することと、
ｅ）ダイバーシティ受信器を前記第２アンテナへ接続することと、
を遂行するため、１つ以上のスイッチングデバイスを作動させることと、
前記第１アンテナと前記デュアルモード受信器とを使用し第１サービスで第１サービス受信信号を受信することと、
前記第２アンテナと前記ダイバーシティ受信器とを使用し第２サービスで第２サービス受信信号を受信することと、のためである、コンピュータ可読媒体。
【図１】
0006017520.tif 000003
【図２】
0006017520.tif 000004
【図３】
0006017520.tif 000005
【図４】
0006017520.tif 000006
【図５】
0006017520.tif 000007
【図６ａ】
0006017520.tif 000008
【図６ｂ】
0006017520.tif 000009
【図６ｃ】
0006017520.tif 000010
【図７】
0006017520.tif 000011
【図８】
0006017520.tif 000012
【図９】
0006017520.tif 000013
【図１０】
0006017520.tif 000014
【図１１】
0006017520.tif 000015
【図１２】
0006017520.tif 000016
【図１３】
0006017520.tif 000017
【図１４】
0006017520.tif 000018
【図１５】
0006017520.tif 000019
【図１６】
0006017520.tif 000020
【図１７】
0006017520.tif 000021
【図１８】
0006017520.tif 000022
【図１９】
0006017520.tif 000023
【図２０】
0006017520.tif 000024
【図２１】
0006017520.tif 000025